(57)【要約】      （修正有）【課題】ディスプレイ駆動とタッチ駆動を同時に進行することができるタッチディスプレイ装置、共通駆動回路および駆動方法を提供する。【解決手段】タッチディスプレイ装置は、共通駆動回路ＣＤＣ、共通信号安定化増幅器、および差動増幅器ＤＡＭＰを含む。共通駆動回路ＣＤＣは、ディスプレイ駆動およびタッチ駆動に用いられる複数の共通電極ＣＥを駆動する。共通信号安定化増幅器は、共通駆動回路ＣＤＣが第１共通電極および第２共通電極の各々から受信された第１入力信号および第２入力信号の平均が基準共通信号と対応するように制御して第１制御入力信号および第２制御入力信号を出力する。差動増幅器ＤＡＭＰは、第１制御入力信号および第２制御入力信号の間の差に比例する差動センシング信号を出力する。【選択図】図８
2020107334.tif 000002
【特許請求の範囲】
【請求項１】
複数のデータライン及び複数のゲートラインが配置され、複数の共通電極が配置されたディスプレイパネルと、
前記複数のデータラインを駆動するためのデータ駆動回路と、
前記複数のゲートラインを駆動するためのゲート駆動回路と、
前記複数の共通電極のうち、第１共通電極及び第２共通電極を差動センシングして差動センシング信号を出力する共通駆動回路とを含み、
前記共通駆動回路は、
前記第１共通電極及び前記第２共通電極の各々から受信された第１入力信号及び第２入力信号の平均が基準共通信号と対応するように制御して第１制御入力信号及び第２制御入力信号を出力する共通信号安定化増幅器と、
前記第１制御入力信号及び前記第２制御入力信号の間の差に比例する前記差動センシング信号を出力する差動増幅器とを含む、タッチディスプレイ装置。
【請求項２】
前記第１制御入力信号は前記第１入力信号と異なり、前記第２制御入力信号は前記第２入力信号と異なる、請求項１に記載のタッチディスプレイ装置。
【請求項３】
前記第１制御入力信号は前記第１入力信号でノイズ電荷が相殺された信号であり、前記第２制御入力信号は前記第２入力信号でノイズ電荷が相殺された信号である、請求項１に記載のタッチディスプレイ装置。
【請求項４】
前記共通信号安定化増幅器は、
第１入力端子及び第２入力端子を通じて前記第１共通電極及び前記第２共通電極から入力された前記第１入力信号及び前記第２入力信号の平均を、基準入力端子を通じて入力された前記基準共通信号と比較する入力回路と、
前記第１入力信号及び前記第２入力信号の平均が前記基準共通信号と対応するように前記第１入力信号及び前記第２入力信号を制御する制御回路と、
前記制御回路により制御された第１入力信号に該当する前記第１制御入力信号及び前記制御回路により制御された第２入力信号に該当する前記第２制御入力信号を第１出力端子及び第２出力端子を通じて出力する出力回路とを含み、
前記第１出力端子は第１フィードバックラインを通じて前記第１入力端子と電気的に連結され、前記第２出力端子は第２フィードバックラインを通じて前記第２入力端子と電気的に連結される、請求項１に記載のタッチディスプレイ装置。
【請求項５】
前記入力回路は、Ｎ型トランジスタを含んだ第１入力回路と、Ｐ型トランジスタを含む第２入力回路とを含み、
前記制御回路は、Ｐ型トランジスタを含む第１制御回路と、Ｎ型トランジスタを含む第２制御回路とを含み、
前記出力回路は、Ｐ型トランジスタ及びＮ型トランジスタを含む第１出力回路と、Ｐ型トランジスタ及びＮ型トランジスタを含む第２出力回路とを含む、請求項４に記載のタッチディスプレイ装置。
【請求項６】
前記第１入力回路は、
前記基準共通信号、前記第１入力信号、及び前記第２入力信号がゲートノードに各々印加される第１乃至第３のＮ型トランジスタと、前記第１乃至第３のＮ型トランジスタのソースノードが共通に連結された地点と低電位電圧ノードの間に電気的に連結された第４のＮ型トランジスタを含み、
前記第２入力回路は、
前記基準共通信号、前記第１入力信号、及び前記第２入力信号がゲートノードに各々印加される第１乃至第３のＰ型トランジスタと、前記第１乃至第３のＰ型トランジスタのソースノードが共通に連結された地点と高電位電圧ノードの間に電気的に連結された第４のＰ型トランジスタを含み、
前記第２及び第３のＮ型トランジスタは並列に連結され、
前記第２及び第３のＰ型トランジスタは並列に連結される、請求項５に記載のタッチディスプレイ装置。
【請求項７】
前記第１入力回路は、
前記基準共通信号及び前記第１入力信号がゲートノードに各々印加される第１及び第２のＮ型トランジスタと、前記第１及び第２のＮ型トランジスタのソースノードが共通に連結された地点と低電位電圧ノードの間に電気的に連結された第３のＮ型トランジスタとを含み、
前記基準共通信号及び前記第２入力信号がゲートノードに各々印加される第４及び第５のＮ型トランジスタと、前記第４及び第５のＮ型トランジスタのソースノードが共通に連結された地点と低電位電圧ノードの間に電気的に連結された第６のＮ型トランジスタとを含み、
前記第２入力回路は、
前記基準共通信号及び前記第１入力信号がゲートノードに各々印加される第１及び第２のＰ型トランジスタと、前記第１及び第２のＰ型トランジスタのソースノードが共通に連結された地点と高電位電圧ノードの間に電気的に連結された第３のＰ型トランジスタとを含み、
前記基準共通信号及び前記第２入力信号がゲートノードに各々印加される第４及び第５のＰ型トランジスタと、前記第４及び第５のＰ型トランジスタのソースノードが共通に連結された地点と高電位電圧ノードの間に電気的に連結された第６のＰ型トランジスタとを含み、
前記第１及び第４のＮ型トランジスタのドレインノードは電気的に互いに連結され、前記第２及び第５のＮ型トランジスタのドレインノードは電気的に互いに連結され、
前記第１及び第４のＰ型トランジスタのドレインノードは電気的に互いに連結され、前記第２及び第５のＰ型トランジスタのドレインノードは電気的に互いに連結される、請求項５に記載のタッチディスプレイ装置。
【請求項８】
前記入力回路は、前記第１入力信号及び前記第２入力信号の入力を受けて平均を出力する平均回路と、Ｎ型トランジスタを含んだ第１入力回路と、Ｐ型トランジスタを含む第２入力回路とを含み、
前記制御回路は、Ｐ型トランジスタを含む第１制御回路と、Ｎ型トランジスタを含む第２制御回路とを含み、
前記出力回路は、Ｐ型トランジスタ及びＮ型トランジスタを含む第１出力回路と、Ｐ型トランジスタ及びＮ型トランジスタを含む第２出力回路とを含む、請求項４に記載のタッチディスプレイ装置。
【請求項９】
前記第１入力回路は、
前記基準共通信号と前記平均がゲートノードに各々印加される第１及び第２のＮ型トランジスタと、前記第１及び第２のＮ型トランジスタのソースノードが共通に連結された地点と低電位電圧ノードの間に電気的に連結された第３のＮ型トランジスタとを含み、
前記第２入力回路は、
前記基準共通信号と前記平均とがゲートノードに各々印加される第１及び第２のＰ型トランジスタと、前記第１及び第２のＰ型トランジスタのソースノードが共通に連結された地点と高電位電圧ノードの間に電気的に連結された第３のＰ型トランジスタとを含む、請求項８に記載のタッチディスプレイ装置。
【請求項１０】
前記第１出力回路内のＰ型トランジスタ及びＮ型トランジスタは、前記第１制御回路から出力される信号及び前記第２制御回路から出力される信号によりオン−オフが各々制御され、高電位電圧ノードと低電位電圧ノードとの間に直列に連結され、
前記第１出力回路内の前記Ｐ型トランジスタ及び前記Ｎ型トランジスタが連結された連結ノードから前記第１制御入力信号が出力され、
前記第２出力回路内のＰ型トランジスタ及びＮ型トランジスタは、前記第１制御回路から出力される信号及び前記第２制御回路から出力される信号によりオン−オフが各々制御され、前記高電位電圧ノードと前記低電位電圧ノードとの間に直列に連結され、
前記第１出力回路内の前記Ｐ型トランジスタ及び前記Ｎ型トランジスタが連結された連結ノードから前記第２制御入力信号が出力される、請求項５または８に記載のタッチディスプレイ装置。
【請求項１１】
前記共通信号安定化増幅器は、
前記基準入力端子を通じて入力された前記基準共通信号を前記第１入力端子及び前記第２入力端子を通じて前記第１共通電極及び前記第２共通電極に供給する、請求項４に記載のタッチディスプレイ装置。
【請求項１２】
前記差動センシング信号は、
前記第１制御入力信号及び前記第２制御入力信号の間の差に比例する差を有する第１出力信号及び第２出力信号を含む、請求項１に記載のタッチディスプレイ装置。
【請求項１３】
前記複数の共通電極はマトリックス形態に配列され、
前記複数の共通電極の各々は２つ以上のサブピクセルと重畳し、
前記第１共通電極及び前記第２共通電極は同一な列または同一な行に配置され、
前記第１共通電極と重畳する２つ以上のデータラインは前記第２共通電極と重畳し、
前記第１共通電極と重畳する２つ以上のゲートラインは前記第２共通電極と未重畳する、請求項１に記載のタッチディスプレイ装置。
【請求項１４】
前記複数の共通電極と前記共通駆動回路とを電気的に連結する複数の共通ラインが前記ディスプレイパネルに配置され、
前記複数の共通ラインは前記複数のデータラインと平行に配置される、請求項１に記載のタッチディスプレイ装置。
【請求項１５】
前記共通駆動回路は、
前記複数のデータラインに映像表示のためのデータ信号が供給されてディスプレイ駆動が進行される間、前記第１共通電極及び前記第２共通電極を差動センシングする、請求項１に記載のタッチディスプレイ装置。
【請求項１６】
前記基準共通信号は電圧レベルが変わる信号であり、
前記基準共通信号のハイレベル電圧期間の幅はディスプレイ駆動のための１水平時間より長い、請求項１に記載のタッチディスプレイ装置。
【請求項１７】
前記基準共通信号は電圧レベルが変わる信号であり、
前記基準共通信号のハイレベル電圧期間の幅はディスプレイ駆動のための１水平時間より短い、請求項１に記載のタッチディスプレイ装置。
【請求項１８】
前記データ駆動回路は、
ガンマ基準電圧に基づいてデジタル映像データを映像アナログ信号に変換し、
前記ガンマ基準電圧は前記基準共通信号と周波数及び位相で対応する、請求項１に記載のタッチディスプレイ装置。
【請求項１９】
前記ディスプレイパネルに印加されるグラウンド電圧は、
電圧レベルが変わる信号であり、前記基準共通信号と周波数及び位相で対応する、請求項１に記載のタッチディスプレイ装置。
【請求項２０】
複数のデータライン及び複数のゲートラインが配置され、複数の共通電極が配置されたディスプレイパネルと、
前記複数のデータラインを駆動するためのデータ駆動回路と、
前記複数のゲートラインを駆動するためのゲート駆動回路と、
前記複数の共通電極のうち、第１共通電極及び第２共通電極から受信される第１入力信号及び第２入力信号を差動増幅する共通駆動回路とを含み、
前記共通駆動回路は前記第１入力信号及び前記第２入力信号からノイズを除去した以後、前記第１入力信号及び前記第２入力信号を差動増幅する、タッチディスプレイ装置。
【請求項２１】
ディスプレイパネルに配置された複数の共通電極のうち、第１共通電極及び第２共通電極から各々受信された第１入力信号及び第２入力信号の平均が基準共通信号と対応するように制御して第１制御入力信号及び第２制御入力信号を出力する共通信号安定化増幅器と、
前記第１制御入力信号及び前記第２制御入力信号の間の差に比例する差動センシング信号を出力する差動増幅器とを含む、共通駆動回路。
【請求項２２】
ディスプレイパネルに配置されたデータライン及びゲートラインにデータ信号及びゲート信号を出力し、前記ディスプレイパネルに配置された複数の共通電極のうちの２つ以上に基準共通信号を出力するステップと、
前記データ信号と前記基準共通信号に応答して映像を表示し、前記基準共通信号が印加された２つ以上の共通電極から受信される第１入力信号及び第２入力信号からノイズを除去たあと差動センシングによってタッチをセンシングするステップとを含む、タッチディスプレイ装置の駆動方法。
【発明の詳細な説明】
【技術分野】
【０００１】
本発明の実施形態は、タッチディスプレイ装置、共通駆動回路、及び駆動方法に関するものである。
【背景技術】
【０００２】
情報化社会が発展するにつれて、画像を表示するためのディスプレイ装置に対する要求が多様な形態に増加している。
【０００３】
このようなディスプレイ装置のうち、ボタン、キーボード、マウスなどの通常的な入力方式から脱皮して、ユーザが容易に情報または命令を直観的で、かつ便利に入力することができるようにしてくれるタッチ基盤の入力方式を提供するタッチディスプレイ装置がある。
【０００４】
このようなタッチ表示装置は、映像表示機能及びタッチ感知機能を全て提供しなければならないので、フレーム時間などの駆動時間をディスプレイ駆動期間とタッチ駆動期間に分割し、ディスプレイ駆動期間でディスプレイ駆動を遂行し、ディスプレイ駆動期間の以後に進行されるタッチ駆動期間でタッチ駆動及びタッチ感知を遂行する。
【０００５】
前述した時分割駆動方式の場合、ディスプレイ駆動とタッチ駆動を定まった時間内で時分割して進行するためには、相当に精巧なタイミング制御が必要であり、このために高価の部品が必要でありうる。
【０００６】
また、時分割駆動方式の場合、ディスプレイ駆動時間及びタッチ駆動時間が全て足りないことがあるので、映像品質及びタッチ感度が全て低下する問題点があった。特に、タッチセンシング機能の適用によって高解像度の映像品質提供に困難性がより大きい実状である。
【発明の概要】
【発明が解決しようとする課題】
【０００７】
本発明の実施形態の目的は、ディスプレイ駆動とタッチ駆動を同時に進行することができるタッチディスプレイ装置、共通駆動回路、及び駆動方法を提供することにある。
【０００８】
また、本発明の実施形態の他の目的は、ディスプレイ駆動とタッチ駆動を同時に進行するに当たって、ディスプレイ駆動とタッチ駆動との間の影響を減らすことができるタッチディスプレイ装置、共通駆動回路、及び駆動方法を提供することにある。
【０００９】
また、本発明の実施形態の更に他の目的は、ディスプレイ駆動とタッチ駆動を同時に進行するに当たって、ディスプレイ駆動及びタッチ駆動に全て必要な信号が振れる不安定な現象を防止してくれて、ディスプレイ駆動とタッチ駆動を同時に進行するにもかかわらず、画像品質を向上させることができるタッチディスプレイ装置、共通駆動回路、及び駆動方法を提供することにある。
【課題を解決するための手段】
【００１０】
一態様において、本発明の実施形態は、複数のデータライン及び複数のゲートラインが配置され、複数の共通電極が配置されたディスプレイパネルと、複数のデータラインを駆動するためのデータ駆動回路と、複数のゲートラインを駆動するためのゲート駆動回路と、複数の共通電極のうち、第１共通電極及び第２共通電極を差動センシングして差動センシング信号を出力する共通駆動回路を含むタッチディスプレイ装置を提供することができる。
【００１１】
共通駆動回路は、第１共通電極及び第２共通電極の各々から受信された第１入力信号及び第２入力信号の平均が基準共通信号と対応するように制御して第１制御入力信号及び第２制御入力信号を出力する共通信号安定化増幅器と、第１制御入力信号及び第２制御入力信号の間の差に比例する差動センシング信号を出力する差動増幅器を含むことができる。
【００１２】
第１制御入力信号は第１入力信号と異なり、第２制御入力信号は第２入力信号と異なることがある。
【００１３】
第１制御入力信号は第１入力信号でノイズ電荷が相殺された信号であり、前記第２制御入力信号は第２入力信号でノイズ電荷が相殺された信号でありうる。
【００１４】
共通信号安定化増幅器は、第１入力端子及び第２入力端子を通じて第１共通電極及び第２共通電極から入力された第１入力信号及び第２入力信号の平均と、基準入力端子を通じて入力された基準共通信号を比較する入力回路と、第１入力信号及び第２入力信号の平均が基準共通信号と対応するように第１入力信号及び第２入力信号を制御する制御回路と、制御回路により制御された第１入力信号に該当する第１制御入力信号及び制御回路により制御された第２入力信号に該当する第２制御入力信号を第１出力端子及び第２出力端子を通じて出力する出力回路を含むことができる。
【００１５】
第１出力端子は第１フィードバックラインを通じて第１入力端子と電気的に連結され、第２出力端子は第２フィードバックラインを通じて第２入力端子と電気的に連結できる。
【００１６】
共通信号安定化増幅器の内部構成の一例に、入力回路は、Ｎ型トランジスタを含んだ第１入力回路と、Ｐ型トランジスタを含む第２入力回路を含むことができる。
【００１７】
制御回路は、Ｐ型トランジスタを含む第１制御回路と、Ｎ型トランジスタを含む第２制御回路を含むことができる。
【００１８】
出力回路は、Ｐ型トランジスタ及びＮ型トランジスタを含む第１出力回路と、Ｐ型トランジスタ及びＮ型トランジスタを含む第２出力回路を含むことができる。
【００１９】
第１入力回路は、基準共通信号、第１入力信号、及び第２入力信号がゲートノードに各々印加される第１乃至第３のＮ型トランジスタと、第１乃至第３のＮ型トランジスタのソースノードが共通に連結された地点と低電位電圧ノードの間に電気的に連結された第４のＮ型トランジスタを含むことができる。
【００２０】
第２入力回路は、基準共通信号、第１入力信号、及び第２入力信号がゲートノードに各々印加される第１乃至第３のＰ型トランジスタと、第１乃至第３のＰ型トランジスタのソースノードが共通に連結された地点と高電位電圧ノードの間に電気的に連結された第４のＰ型トランジスタを含むことができる。
【００２１】
第２及び第３のＮ型トランジスタは並列に連結され、第２及び第３のＰ型トランジスタは並列に連結できる。
【００２２】
共通信号安定化増幅器の内部構成の他の例に、入力回路は、Ｎ型トランジスタを含んだ第１入力回路と、Ｐ型トランジスタを含む第２入力回路を含むことができる。
【００２３】
制御回路は、Ｐ型トランジスタを含む第１制御回路と、Ｎ型トランジスタを含む第２制御回路を含むことができる。
【００２４】
出力回路は、Ｐ型トランジスタ及びＮ型トランジスタを含む第１出力回路と、Ｐ型トランジスタ及びＮ型トランジスタを含む第２出力回路を含むことができる。
【００２５】
第１入力回路は、基準共通信号及び第１入力信号がゲートノードに各々印加される第１及び第２のＮ型トランジスタと、第１及び第２のＮ型トランジスタのソースノードが共通に連結された地点と低電位電圧ノードとの間に電気的に連結された第３のＮ型トランジスタを含む第１パートを含むことができる。
【００２６】
第１入力回路は、基準共通信号及び第２入力信号がゲートノードに各々印加される第４及び第５のＮ型トランジスタと、第４及び第５のＮ型トランジスタのソースノードが共通に連結された地点と低電位電圧ノードの間に電気的に連結された第６のＮ型トランジスタの第２パートを含むことができる。
【００２７】
第２入力回路は、基準共通信号及び第１入力信号がゲートノードに各々印加される第１及び第２のＰ型トランジスタと、第１及び第２のＰ型トランジスタのソースノードが共通に連結された地点と高電位電圧ノードの間に電気的に連結された第３のＰ型トランジスタを含む第１パートを含むことができる。
【００２８】
第２入力回路は、基準共通信号及び第２入力信号がゲートノードに各々印加される第４及び第５Ｐ型トランジスタと、第４及び第５のＰ型トランジスタのソースノードが共通に連結された地点と高電位電圧ノードの間に電気的に連結された第６のＰ型トランジスタを含む第２パートを含むことができる。
【００２９】
第１及び第４のＮ型トランジスタのドレインノードは電気的に互いに連結され、第２及び第５のＮ型トランジスタのドレインノードは電気的に互いに連結できる。
【００３０】
第１及び第４のＰ型トランジスタのドレインノードは電気的に互いに連結され、第２及び第５のＰ型トランジスタのドレインノードは電気的に互いに連結できる。
【００３１】
共通信号安定化増幅器の内部構成の更に他の例に、入力回路は、第１入力信号及び第２入力信号の入力を受けて平均を出力する平均回路と、Ｎ型トランジスタを含んだ第１入力回路と、Ｐ型トランジスタを含む第２入力回路を含むことができる。
【００３２】
制御回路は、Ｐ型トランジスタを含む第１制御回路と、Ｎ型トランジスタを含む第２制御回路を含むことができる。
【００３３】
出力回路は、Ｐ型トランジスタ及びＮ型トランジスタを含む第１出力回路と、Ｐ型トランジスタ及びＮ型トランジスタを含む第２出力回路を含むことができる。
【００３４】
第１入力回路は、基準共通信号と平均がゲートノードに各々印加される第１及び第２のＮ型トランジスタと、第１及び第２のＮ型トランジスタのソースノードが共通に連結された地点と低電位電圧ノードの間に電気的に連結された第３のＮ型トランジスタを含むことができる。
【００３５】
第２入力回路は、基準共通信号と平均がゲートノードに各々印加される第１及び第２のＰ型トランジスタと、第１及び第２のＰ型トランジスタのソースノードが共通に連結された地点と高電位電圧ノードの間に電気的に連結された第３のＰ型トランジスタを含むことができる。
【００３６】
共通信号安定化増幅器の内部構成の例で、第１出力回路内のＰ型トランジスタ及びＮ型トランジスタは、第１制御回路から出力される信号及び第２制御回路から出力される信号によりオン−オフが各々制御され、高電位電圧ノードと低電位電圧ノードの間に直列に連結され、Ｐ型トランジスタ及びＮ型トランジスタが連結された連結ノードで第１制御入力信号が出力できる。
【００３７】
また、第２出力回路内のＰ型トランジスタ及びＮ型トランジスタは、第１制御回路から出力される信号及び第２制御回路から出力される信号によってオン−オフが各々制御され、高電位電圧ノードと低電位電圧ノードの間に直列に連結され、Ｐ型トランジスタ及びＮ型トランジスタが連結された連結ノードで第２制御入力信号が出力できる。
【００３８】
共通信号安定化増幅器は、基準入力端子を通じて入力された基準共通信号を第１入力端子及び第２入力端子を通じて第１共通電極及び第２共通電極に供給することができる。
【００３９】
差動増幅器から出力される差動センシング信号は、第１制御入力信号及び第２制御入力信号の間の差に比例する差を有する第１出力信号及び第２出力信号を含むことができる。
【００４０】
複数の共通電極はマトリックス形態に配列され、複数の共通電極の各々は２つ以上のサブピクセルと重畳できる。
【００４１】
複数の共通電極のうち、第１共通電極及び第２共通電極は同一な列または同一な行に配置され、第１共通電極と重畳する２つ以上のデータラインは第２共通電極と重畳し、第１共通電極と重畳する２つ以上のゲートラインは第２共通電極と未重畳できる。
【００４２】
複数の共通電極と共通駆動回路を電気的に連結してくれる複数の共通ラインがディスプレイパネルに配置され、複数の共通ラインは複数のデータラインと平行に配置できる。
【００４３】
複数の共通ラインは、第１共通電極と共通駆動回路を電気的に連結するための第１共通ラインと、第２共通電極と共通駆動回路を電気的に連結するための第２共通ラインを含むことができる。
【００４４】
第１共通ラインは第２共通電極と重畳し、かつディスプレイパネル内で第２共通電極と絶縁できる。
【００４５】
共通駆動回路は、複数のデータラインに映像表示のためのデータ信号が供給されてディスプレイ駆動が進行される間、第１共通電極及び第２共通電極を差動センシングすることができる。
【００４６】
基準共通信号は電圧レベルが変わる信号でありうる。
【００４７】
一例に、基準共通信号のハイレベル電圧期間の幅はディスプレイ駆動のための１水平時間より長いことがある。
【００４８】
他の例に、基準共通信号のハイレベル電圧期間の幅はディスプレイ駆動のための１水平時間より短いことがある。
【００４９】
データ駆動回路は、ガンマ基準電圧に基づいてデジタル映像データを映像アナログ信号に変換し、ガンマ基準電圧は基準共通信号と周波数及び位相と対応できる。
【００５０】
ディスプレイパネルに印加されるグラウンド電圧は、電圧レベルが変わる信号であり、基準共通信号と周波数及び位相が対応できる。
【００５１】
他の態様において、本発明の実施形態は、複数のデータライン及び複数のゲートラインが配置され、複数の共通電極が配置されたディスプレイパネルと、複数のデータラインを駆動するためのデータ駆動回路と、複数のゲートラインを駆動するためのゲート駆動回路と、複数の共通電極のうち、第１共通電極及び第２共通電極から受信される第１入力信号及び第２入力信号を差動増幅する共通駆動回路を含むタッチディスプレイ装置を提供することができる。
【００５２】
共通駆動回路は、第１入力信号及び第２入力信号の各々でノイズを除去した以後、差動増幅することができる。
【００５３】
更に他の態様において、本発明の実施形態は、ディスプレイパネルに配置された複数の共通電極のうち、第１共通電極及び第２共通電極から各々受信された第１入力信号及び第２入力信号の平均が基準共通信号と対応するように制御して第１制御入力信号及び第２制御入力信号を出力する共通信号安定化増幅器と、第１制御入力信号及び第２制御入力信号の間の差に比例する差動センシング信号を出力する差動増幅器を含む共通駆動回路を提供することができる。
【００５４】
更に他の態様において、本発明の実施形態は、ディスプレイパネルに配置されたデータライン及びゲートラインにデータ信号及びゲート信号を出力し、ディスプレイパネルに配置された複数の共通電極のうち、２つ以上に基準共通信号を出力するステップと、データ信号と基準共通信号に応答して映像を表示し、基準共通信号が印加された２つ以上の共通電極から受信される第１入力信号及び第２入力信号でノイズを除去して差動センシングしてタッチをセンシングするステップを含むタッチディスプレイ装置の駆動方法を提供することができる。
【発明の効果】
【００５５】
本発明の実施形態によれば、ディスプレイ駆動とタッチ駆動を同時に進行することができるタッチディスプレイ装置、共通駆動回路、及び駆動方法を提供することができる。
【００５６】
また、本発明の実施形態によれば、ディスプレイ駆動とタッチ駆動を同時に進行するに当たって、ディスプレイ駆動とタッチ駆動との間の影響を減らすことができるタッチディスプレイ装置、共通駆動回路、及び駆動方法を提供することができる。
【００５７】
また、本発明の実施形態によれば、ディスプレイ駆動とタッチ駆動を同時に進行するに当たって、ディスプレイ駆動及びタッチ駆動に全て必要な信号が振れる不安定な現象を防止してくれて、ディスプレイ駆動とタッチ駆動を同時に進行するにもかかわらず、画像品質を向上させることができるタッチディスプレイ装置、共通駆動回路、及び駆動方法を提供することができる。
【図面の簡単な説明】
【００５８】
【図１】本発明の実施形態に従うタッチディスプレイ装置のシステム構成図である。
【図２】本発明の実施形態に従うディスプレイパネルと駆動回路を示した図である。
【図３】本発明の実施形態に従うディスプレイパネルにおける１つの共通電極領域内のサブピクセルの配置構造を示した図である。
【図４】本発明の実施形態に従うタッチディスプレイ装置のディスプレイ駆動とタッチ駆動に関する時間分割駆動タイミングダイヤグラムである。
【図５】本発明の実施形態に従うタッチディスプレイ装置のディスプレイ駆動とタッチ駆動に関する同時駆動タイミングダイヤグラムである。
【図６】本発明の実施形態に従うタッチディスプレイ装置のディスプレイ駆動とタッチ駆動に関する同時駆動タイミングダイヤグラムである。
【図７】本発明の実施形態に従うタッチディスプレイ装置におけるシングルセンシング回路を示した図である。
【図８】本発明の実施形態に従うタッチディスプレイ装置における差動センシング回路を示した図である。
【図９】本発明の実施形態に従うタッチディスプレイ装置の差動センシング時、共通電極列に発生するノイズが差動増幅器に入力される状況を示した図である。
【図１０】本発明の実施形態に従うタッチディスプレイ装置の差動センシング時、共通電極列に発生するノイズに従う画像の影響を説明するための図である。
【図１１】本発明の実施形態に従うタッチディスプレイ装置における共通信号安定化増幅器を含む差動センシング回路を示した図である。
【図１２】本発明の実施形態に従う共通信号安定化増幅器の概略的なブロック図である。
【図１３】本発明の実施形態に従う共通信号安定化増幅器のブロック図及び詳細回路である。
【図１４】本発明の実施形態に従う共通信号安定化増幅器のブロック図及び詳細回路である。
【図１５】本発明の実施形態に従う共通信号安定化増幅器の他のブロック図及び詳細回路である。
【図１６】本発明の実施形態に従う共通信号安定化増幅器の他のブロック図及び詳細回路である。
【図１７】本発明の実施形態に従う共通信号安定化増幅器の更に他のブロック図及び詳細回路である。
【図１８】本発明の実施形態に従う共通信号安定化増幅器の更に他のブロック図及び詳細回路である。
【図１９】本発明の実施形態に従う共通信号安定化増幅器による画像品質改善効果を説明するための図である。
【図２０】本発明の実施形態に従うタッチディスプレイ装置の駆動方法のフローチャートである。
【発明を実施するための形態】
【００５９】
本実施形態の利点及び特徴、そしてそれらを達成する方法は、添付する図面と共に詳細に後述されている実施形態を参照すれば明確になる。しかしながら、本発明は以下に開示される実施形態に限定されるものでなく、互いに異なる多様な形状に具現され、但し本実施形態は本発明の開示が完全になるようにし、本発明が属する技術分野で通常の知識を有する者に発明の範疇を完全に知らせるために提供されるものであり、本発明は請求項の範疇により定義されるだけである。
【００６０】
また、本発明の実施形態を説明するための図面に開示された形状、サイズ、比率、角度、個数などは例示的なものであるので、本発明が図示された事項に限定されるのではない。明細書の全体に亘って同一参照符号は同一構成要素を称する。また、本発明を説明するに当たって、関連した公知技術に対する具体的な説明が本発明の要旨を曖昧にすることがあると判断される場合、その詳細な説明は省略する。本明細書上で言及された‘含む’、‘有する’、‘なされる’などが使われる場合、‘〜ので’が使われない以上、他の部分が追加できる。構成要素を単数で表現した場合に特別に明示的な記載事項がない限り、複数を含む場合を含むことができる。
【００６１】
また、本発明の実施形態での構成要素を解釈するに当たって、別途の明示的な記載がなくても誤差範囲を含むものとして解釈されるべきである。
【００６２】
また、本発明の構成要素を説明するに当たって、第１、第２、Ａ、Ｂ、（ａ）、（ｂ）などの用語を使用することができる。このような用語はその構成要素を他の構成要素と区別するためのものであり、その用語により該当構成要素の本質、順番、順序、または個数などが限定されない。ある構成要素が他の構成要素に“連結”、“結合”、または“接続”されると記載された場合、その構成要素は該他の構成要素に直接的に連結または接続できるが、各構成要素の間に他の構成要素が“介在”されるか、各構成要素が他の構成要素を通じて“連結”、“結合”、または“接続”されることもできると理解されるべきである。位置関係に対する説明の場合、例えば、‘〜上に’、‘〜上部に’、‘〜下部に’、‘〜横に’などで２部分の位置関係が説明される場合、‘直ぐ’または‘直接’は使われない以上、２部分の間に１つ以上の他の部分が位置することもできる。
【００６３】
また、本発明の実施形態での構成要素はこれら用語により制限されない。これら用語は単に１つの構成要素を他の構成要素と区別するために使用するだけである。したがって、以下に言及される第１構成要素は本発明の技術的思想内で第２構成要素でありうる。
【００６４】
また、本発明の実施形態での特徴（構成）が部分的にまたは全体的に互いに結合または組合せまたは分離可能であり、技術的に多様な連動及び駆動が可能であり、各実施形態は互いに対して独立的に実施可能であり、また連関関係で共に実施可能でありうる。
【００６５】
以下では、本発明の実施形態を添付した図面を参照して詳細に説明する。
【００６６】
図１は本発明の実施形態に従うタッチディスプレイ装置のシステム構成図であり、図２は本発明の実施形態に従うディスプレイパネルＤＩＳＰと駆動回路を示した図であり、図３は本発明の実施形態に従うディスプレイパネルＤＩＳＰにおける１つの共通電極ＣＥ領域内のサブピクセルＳＰの配置構造を示した図である。
【００６７】
図１を参照すると、本発明の実施形態に従うタッチディスプレイ装置は、映像を表示するディスプレイ機能を提供することができる。また、本発明の実施形態に従うタッチディスプレイ装置は、ユーザのタッチをセンシングするタッチセンシング機能と、タッチセンシング結果を用いてユーザのタッチに従う入力処理を遂行するタッチ入力機能を提供することができる。
【００６８】
図１乃至図３を参照すると、本発明の実施形態に従うタッチディスプレイ装置は、ディスプレイ機能を提供するために、複数のデータラインＤＬと複数のゲートラインＧＬが配置されることができ、複数のデータラインＤＬと複数のゲートラインＧＬにより定義される複数のサブピクセルＳＰが配列されたディスプレイパネルＤＩＳＰと、ディスプレイパネルＤＩＳＰを駆動するための駆動回路を含むことができる。
【００６９】
また、ディスプレイパネルＤＩＳＰには、行方向（または、列方向）に配置される複数のデータラインＤＬと、列方向（または、行方向）に配置される複数のゲートラインＧＬの以外にも、ディスプレイ駆動のために、共通信号（ＶＣＯＭ）が印加される複数の共通電極ＣＥと、複数の共通電極ＣＥに電気的に連結された複数の共通ラインＣＬが配置できる。
【００７０】
一例に、複数の共通電極ＣＥはマトリックス形態に配列できる。
【００７１】
複数の共通電極ＣＥの各々は多様な形態になることができる。例えば、１つの共通電極ＣＥは開口部のない板形状の電極であるか、または開口部のあるメッシュ形態の電極でありえ、数個所が折れている形態の電極でありうる。
【００７２】
共通電極ＣＥが板形状の電極である場合、透明電極でありうる。共通電極ＣＥがメッシュ形態の電極であるか、または折れている形態の電極である場合、不透明電極でありうる。
【００７３】
複数の共通電極ＣＥの各々は２つ以上のサブピクセルＳＰと重畳できる。
【００７４】
一例に、複数の共通ラインＣＬは複数のデータラインＤＬと平行に配置できる。
【００７５】
図１乃至図３を参照すると、駆動回路は、複数のデータラインＤＬを駆動するデータ駆動回路ＤＤＣと、複数のゲートラインＧＬを駆動するゲート駆動回路ＧＤＣと、データ駆動回路ＤＤＣ及びゲート駆動回路ＧＤＣを制御するディスプレイコントローラＤＣＴＲなどを含むことができ、複数の共通電極ＣＥを駆動するための共通駆動回路ＣＤＣをさらに含むことができる。
【００７６】
共通駆動回路ＣＤＣは複数の共通ラインＣＬを通じて複数の共通電極ＣＥに共通信号（ＶＣＯＭ）を供給することができる。
【００７７】
ディスプレイコントローラＤＣＴＲはデータ駆動回路ＤＤＣ及びゲート駆動回路ＧＤＣに各種制御信号（ＤＣＳ、ＧＣＳ）を供給して、データ駆動回路ＤＤＣ及びゲート駆動回路ＧＤＣを制御する。
【００７８】
ディスプレイコントローラＤＣＴＲは、各フレームで具現するタイミングによってスキャンを始めて、外部から入力される入力映像データをデータ駆動回路ＤＤＣで使用するデータ信号形式に合うように転換して、転換されたデジタル映像データ（ＤＡＴＡ）を出力し、スキャンに合せて適当な時間にデータ駆動を統制する。
【００７９】
ゲート駆動回路ＧＤＣは、ディスプレイコントローラＤＣＴＲの制御によって、オン（On）電圧またはオフ（Off）電圧のゲート信号を複数のゲートラインＧＬに順次に供給する。
【００８０】
データ駆動回路ＤＤＣは、ゲート駆動回路ＧＤＣにより特定ゲートラインＧＬが開けば、ディスプレイコントローラＤＣＴＲから受信した映像データ信号を映像アナログ信号に変換して、これに対応するデータ信号（ＶＤＡＴＡ）を複数のデータラインＤＬに供給する。
【００８１】
ディスプレイコントローラＤＣＴＲは通常のディスプレイ技術で用いられるタイミングコントローラ（Timing Controller）であるか、またはタイミングコントローラ（Timing Controller）を含んで他の制御機能もさらに遂行する制御装置でありえ、タイミングコントローラと異なる制御装置でありうる。
【００８２】
ディスプレイコントローラＤＣＴＲは、データ駆動回路ＤＤＣと別途の部品で具現されることもでき、データ駆動回路ＤＤＣと共に集積回路で具現できる。
【００８３】
データ駆動回路ＤＤＣは、複数のデータラインＤＬにデータ信号（ＶＤＡＴＡ）を供給することによって、複数のデータラインＤＬを駆動する。ここで、データ駆動回路ＤＤＣは‘ソースドライバ’ともいう。
【００８４】
このようなデータ駆動回路ＤＤＣは、少なくとも１つのソースドライバ集積回路（ＳＤＩＣ：Source Driver Integrated Circuit）を含むことができる。各ソースドライバ集積回路ＳＤＩＣは、シフトレジスタ（Shift Register）、ラッチ回路（Latch Circuit）、デジタル−アナログコンバータ（ＤＡＣ：Digital to Analog Converter）、出力バッファ回路（Output Buffer Circuit）などを含むことができる。各ソースドライバ集積回路ＳＤＩＣは、場合によって、アナログ−デジタルコンバータ（ＡＤＣ：Analog to Digital Converter）をさらに含むことができる。
【００８５】
各ソースドライバ集積回路ＳＤＩＣは、テープオートメーテッドボンディング（ＴＡＢ：Tape Automated Bonding）方式またはチップオンガラス（ＣＯＧ：Chip On Glass）方式によりディスプレイパネルＤＩＳＰのボンディングパッド（Bonding Pad）に連結されるか、またはディスプレイパネルＤＩＳＰに直接配置されることもでき、場合によって、ディスプレイパネルＤＩＳＰに集積化されて配置されることもできる。また、各ソースドライバ集積回路ＳＤＩＣは、ディスプレイパネルＤＩＳＰに連結されたフィルム上に実装されるチップオンフィルム（COF：Chip On Film）方式により具現されることもできる。
【００８６】
ゲート駆動回路ＧＤＣは、複数のゲートラインＧＬにゲート信号（ＶＧＡＴＥ、スキャン電圧、スキャン信号、またはゲート電圧ともいう）を順次に供給することによって、複数のゲートラインＧＬを順次に駆動する。ここで、ゲート駆動回路ＧＤＣは‘スキャンドライバ’ともいう。
【００８７】
ここで、ゲート信号（ＶＧＡＴＥ）は該当ゲートラインＧＬを閉じるようにするオフ−レベルゲート電圧と該当ゲートラインＧＬを開けるようにするオン−レベルゲート電圧を構成する。
【００８８】
より具体的に、ゲート信号（ＶＧＡＴＥ）は該当ゲートラインＧＬに連結されたトランジスタをターン−オフさせるようにするオフ−レベルゲート電圧と、該当ゲートラインＧＬに連結されたトランジスタをターン−オンさせるようにするオン−レベルゲート電圧を構成する。
【００８９】
トランジスタがＮ型である場合、オフ−レベルゲート電圧はロー−レベルゲート電圧（ＶＧＬ）であり、オン−レベルゲート電圧はハイ−レベルゲート電圧（ＶＧＨ）でありうる。トランジスタがＰ型である場合、オフ−レベルゲート電圧はハイ−レベルゲート電圧（ＶＧＨ）であり、オン−レベルゲート電圧はロー−レベルゲート電圧（ＶＧＬ）でありうる。以下では、説明の便宜のために、オフ−レベルゲート電圧はロー−レベルゲート電圧（ＶＧＬ）であり、オン−レベルゲート電圧はハイ−レベルゲート電圧（ＶＧＨ）であることを例に挙げる。
【００９０】
このようなゲート駆動回路ＧＤＣは、少なくとも１つのゲートドライバ集積回路（ＧＤＩＣ：Gate Driver Integrated Circuit）を含むことができる。各ゲートドライバ集積回路ＧＤＩＣはシフトレジスタ（Shift Register）、レベルシフタ（Level Shifter）などを含むことができる。
【００９１】
各ゲートドライバ集積回路ＧＤＩＣは、テープオートメーテッドボンディング（ＴＡＢ）方式またはチップオンガラス（ＣＯＧ）方式によりディスプレイパネルＤＩＳＰのボンディングパッド（Bonding Pad）に連結されるか、またはＧＩＰ（Gate In Panel）タイプで具現されてディスプレイパネルＤＩＳＰに直接配置されることもでき、場合によって、ディスプレイパネルＤＩＳＰに集積化されて配置されることもできる。また、各ゲートドライバ集積回路ＧＤＩＣはディスプレイパネルＤＩＳＰと連結されたフィルム上に実装されるチップオンフィルム（ＣＯＦ）方式により具現されることもできる。
【００９２】
データ駆動回路ＤＤＣは、図１のように、ディスプレイパネルＤＩＳＰの一側（例：上側または下側）のみに位置することもでき、場合によっては、駆動方式、パネル設計方式などによってディスプレイパネルＤＩＳＰの両側（例：上側と下側）に全て位置することもできる。
【００９３】
ゲート駆動回路ＧＤＣは、図１のように、ディスプレイパネルＤＩＳＰの一側（例：左側または右側）のみに位置することもでき、場合によっては、駆動方式、パネル設計方式などによってディスプレイパネルＤＩＳＰの両側（例：左側と右側）に全て位置することもできる。
【００９４】
本実施形態に従うタッチディスプレイ装置は、液晶ディスプレイ装置、有機発光ディスプレイ装置などの多様なタイプの表示装置でありうる。本実施形態に従うディスプレイパネルＤＩＳＰも液晶ディスプレイパネル、有機発光ディスプレイパネルなどの多様なタイプの表示パネルでありうる。
【００９５】
ディスプレイパネルＤＩＳＰに配置された各サブピクセルＳＰは１つ以上の回路素子（例：トランジスタ、キャパシタなど）を含んで構成できる。
【００９６】
例えば、ディスプレイパネルＤＩＳＰが液晶ディスプレイパネルである場合、各サブピクセルＳＰにはピクセル電極ＰＸＬが配置され、ピクセル電極ＰＸＬとデータラインＤＬとの間にトランジスタＴＲが電気的に連結できる。トランジスタＴＲはゲートラインＧＬを通じてゲートノードに供給されるゲート信号（ＶＧＡＴＥ）によりターン−オンされることができ、ターン−オン時、データラインＤＬを通じてソースノード（または、ドレインノード）に供給されたデータ信号（ＶＤＡＴＡ）をドレインノード（または、ソースノード）に出力して、ドレインノード（または、ソースノード）に電気的に連結されたピクセル電極ＰＸＬにデータ信号（ＶＤＡＴＡ）を印加することができる。データ信号（ＶＤＡＴＡ）が印加されたピクセル電極ＰＸＬと共通信号（ＶＣＯＭ）が印加された共通電極の間には電界が形成され、ピクセル電極ＰＸＬと共通電極の間にキャパシタンスが形成できる。
【００９７】
各サブピクセルＳＰの構造は、パネルタイプ、提供機能、及び設計方式などによって多様に定まることができる。
【００９８】
一方、前述した複数の共通電極ＣＥはディスプレイ駆動時、データ信号（ＶＤＡＴＡ）と電界を形成する共通信号（ＶＣＯＭ）が印加されるディスプレイ駆動電極で、かつタッチセンシングのためのタッチ電極でありうる。以下で、共通信号（ＶＣＯＭ）は基準共通信号と記載する。
【００９９】
したがって、共通電極ＣＥには印加される基準共通信号（ＶＣＯＭ）はディスプレイ駆動のための信号であり、またタッチ駆動のための信号でありうる。
【０１００】
言い換えると、図２及び図３を参照すると、基準共通信号（ＶＣＯＭ）は、第１共通電極ＣＥ１と重畳する２つ以上のサブピクセルＳＰの各々に供給されるデータ信号（ＶＤＡＴＡ）とキャパシタンス（Ｃｓｔ）を形成し、第２共通電極ＣＥ２と重畳する２つ以上のサブピクセルＳＰの各々に供給されるデータ信号（ＶＤＡＴＡ）とキャパシタンス（Ｃｓｔ）を形成するためのディスプレイ共通電圧の役割をする。
【０１０１】
また、基準共通信号（ＶＣＯＭ）は第１共通電極ＣＥ１と第２共通電極ＣＥ２を差動センシングしてタッチ有無またはタッチ座標を検出するために、第１共通電極ＣＥ１と第２共通電極ＣＥ２を駆動するためのタッチ駆動信号の役割もすることができる。
【０１０２】
図２及び図３を参照すると、第１共通電極ＣＥ１及び第２共通電極ＣＥ２は同一な列または同一な行に配置できる。
【０１０３】
第１共通電極ＣＥ１と重畳する２つ以上のデータラインＤＬは第２共通電極ＣＥ２と重畳できる。第１共通電極ＣＥ１と重畳する２つ以上のゲートラインＧＬは第２共通電極ＣＥ２と重畳しない。
【０１０４】
複数の共通ラインＣＬは、第１共通電極ＣＥ１と共通駆動回路ＣＤＣを電気的に連結するための第１共通ラインＣＬ１と、第２共通電極ＣＥ２と共通駆動回路ＣＤＣを電気的に連結するための第２共通ラインＣＬ２を含むことができるが、第１共通ラインＣＬ１は第２共通電極ＣＥ２と重畳し、かつディスプレイパネルＤＩＳＰ内で第２共通電極ＣＬ２と絶縁できる。場合によって、第１共通ラインＣＬ１と第２共通電極ＣＬ２は共通駆動回路ＣＤＣ内では電気的に連結されることもできる。
【０１０５】
図１及び図２を参照すると、本発明の実施形態に従うタッチディスプレイ装置は、タッチセンシング機能を提供するために、複数の共通電極ＣＥと、複数の共通電極ＣＥを駆動してセンシングする共通駆動回路ＴＤＣと、共通駆動回路ＴＤＣがディスプレイパネルＤＩＳＰをセンシングした結果を用いてタッチをセンシングするタッチコントローラＴＣＴＲなどを含むことができる。
【０１０６】
複数の共通電極ＣＥはユーザのポインタにより画面上に接触するか、または近接したユーザのタッチをセンシングするためのタッチセンサーに該当する。ここで、ユーザのポインタは指（Finger）またはペン（Pen）などでありうる。
【０１０７】
ペンは信号送受信機能のない受動ペン（Passive Pen）または信号送受信機能のあるアクティブペン（Active Pen）でありうる。共通駆動回路ＴＤＣはディスプレイパネルＤＩＳＰにタッチ駆動信号を供給し、ディスプレイパネルＤＩＳＰをセンシングすることができる。タッチコントローラＴＣＴＲは、共通駆動回路ＴＤＣがディスプレイパネルＤＩＳＰをセンシングした結果を用いてタッチをセンシングすることができる。ここで、タッチをセンシングするということは、タッチ有無及び／又はタッチ座標を決定するということを意味することができる。
【０１０８】
タッチコントローラＴＣＴＲは、一例に、マイクロコントロールユニット（ＭＣＵ：Micro Control Unit）、プロセッサーなどで具現できる。
【０１０９】
ディスプレイコントローラＤＣＴＲ及びタッチコントローラＴＣＴＲは別途に具現されることもでき、統合されて具現されることもできる。
【０１１０】
本発明の実施形態に従うタッチディスプレイ装置は、共通電極ＣＥのセルフ−キャパシタンス（Self-Capacitance）に基づいてタッチをセンシングするか、または共通電極ＣＥの間のミューチュアル−キャパシタンス（Mutual-Capacitance）に基づいてタッチをセンシングすることができる。
【０１１１】
本発明の実施形態に従うタッチディスプレイ装置がセルフ−キャパシタンスに基づいてタッチをセンシングする場合、共通駆動回路ＴＤＣは複数の共通電極ＣＥのうちの１つ以上に電圧レベルが可変される信号形態の基準共通信号（ＶＣＯＭ）を供給し、基準共通信号（ＶＣＯＭ）が印加された共通電極ＣＥから信号をセンシングしてセンシングデータを出力し、タッチコントローラＴＣＴＲはセンシングデータを用いてタッチ有無及び／又はタッチ座標を算出することができる。
【０１１２】
本発明の実施形態に従うタッチディスプレイ装置がミューチュアル−キャパシタンスに基づいてタッチをセンシングする場合、共通駆動回路ＴＤＣは複数の共通電極ＣＥのうち、駆動電極の役割をする共通電極に基準共通信号（ＶＣＯＭ）を供給し、複数の共通電極ＣＥのうち、センシング電極の役割をする共通電極から信号をセンシングしてセンシングデータを出力し、タッチコントローラＴＣＴＲはセンシングデータを用いてタッチ有無及び／又はタッチ座標を算出することができる。
【０１１３】
以下では、説明の便宜のために、本発明の実施形態に従うタッチディスプレイ装置はセルフ−キャパシタンス（Self-Capacitance）に基づいてタッチをセンシングする場合を仮定する。ディスプレイパネルＤＩＳＰも図２及び図３に図示したように構成されたことを仮定する。
【０１１４】
共通駆動回路ＴＤＣから出力される基準共通信号（ＶＣＯＭ）は一定の電圧レベルを有する信号であることもあり、電圧レベルが可変される信号であることもある。
【０１１５】
基準共通信号（ＶＣＯＭ）が電圧レベルが可変される信号である場合、基準共通信号（ＶＣＯＭ）は、一例に、正弦波形態、三角波形態、または矩形波形態など、多様な信号波形でありうる。
【０１１６】
一方、データ駆動回路ＤＤＣはデジタルアナログコンバータ（ＤＡＣ：Digital-to-Analog Converter）を通じてディスプレイコントローラＤＣＴＲから受信されたデジタル映像データ（ＤＡＴＡ）をアナログ電圧形態のデータ信号（ＶＤＡＴＡ）に変換することができる。
【０１１７】
データ駆動回路ＤＤＣはデジタル−アナログ変換時、複数のガンマ基準電圧（ＧＲＶ）に基づいてデジタル映像データ（ＤＡＴＡ）をアナログ電圧形態のデータ信号（ＶＤＡＴＡ）に変換することができる。
【０１１８】
複数のガンマ基準電圧（ＧＲＶ）は、ガンマ回路ＧＡＭで供給される。ガンマ回路ＧＡＭはデータ駆動回路ＤＤＣの外部または内部に存在することができる。
【０１１９】
一方、ディスプレイパネルＤＩＳＰにはグラウンド電圧（ＧＮＤ）が印加できる。このようなグラウンド電圧（ＧＮＤ）はＤＣ電圧であることもあり、電圧レベルが変わるＡＣ電圧であることもある。
【０１２０】
図４は、本発明の実施形態に従うタッチディスプレイ装置のディスプレイ駆動とタッチ駆動に関する時間分割駆動タイミングダイヤグラムである。
【０１２１】
図４を参照すると、本発明の実施形態に従うタッチディスプレイ装置は、ディスプレイ駆動とタッチ駆動を時分割された区間で別途に進行することができる。このような駆動方式を時分割駆動という。
【０１２２】
ディスプレイ駆動期間の間には、複数の共通電極ＣＥにはＤＣ電圧形態の基準共通信号（ＶＣＯＭ）が印加される。複数のゲートラインＧＬにはターン−オフレベル電圧（ＶＧＬ）の状態を有してからスキャニングタイミングでターン−オンレベル電圧（ＶＧＨ）を有するゲート信号（ＶＧＡＴＥ１、ＶＧＡＴＥ２）が順次に印加できる。複数のデータラインＤＬには該当データ信号（ＶＤＡＴＡ）が印加できる。
【０１２３】
ディスプレイ駆動期間の以後、タッチ駆動期間の間には、複数の共通電極ＣＥの全体または一部には時間によって電圧レベルが変わる基準共通信号（ＶＣＯＭ）が印加できる。
【０１２４】
タッチ駆動期間の間、センシング対象となる共通電極ＣＥとセンシングされない異なる共通電極ＣＥの間の寄生キャパシタンス（Ｃｃｃ）を防止するために、ディスプレイパネルＤＩＳＰに配置された複数の共通電極ＣＥの全体または一部にはセンシング対象となる共通電極ＣＥに印加される基準共通信号（ＶＣＯＭ）と同一または対応する基準共通信号（ＶＣＯＭ）が印加できる。
【０１２５】
また、タッチ駆動期間の間、共通電極ＣＥとデータラインＤＬとの間の寄生キャパシタンス（Ｃｄｃ）を防止するために、ディスプレイパネルＤＩＳＰに配置された複数のデータラインＤＬの全体または一部にセンシング対象となる共通電極ＣＥに印加される基準共通信号（ＶＣＯＭ）と同一または対応するデータ信号（ＶＤＡＴＡ）が印加できる。
【０１２６】
また、タッチ駆動期間の間、共通電極ＣＥとゲートラインＧＬとの間の寄生キャパシタンス（Ｃｇｃ）を防止するために、ディスプレイパネルＤＩＳＰに配置された複数のゲートラインＧＬの全体または一部にセンシング対象となる共通電極ＣＥに印加される基準共通信号（ＶＣＯＭ）と同一または対応するゲート信号（ＶＧＡＴＥ）が印加できる。
【０１２７】
タッチ駆動期間の間、基準共通信号（ＶＣＯＭ）と同一または対応する信号をディスプレイパネルＤＩＳＰに配置された非センシング対象である共通電極ＣＥ、データラインＤＬ、及びゲートラインＧＬに印加することをロードフリー駆動（ＬＦＤ：Load Free Driving）という。このようなＬＦＤは不必要な寄生キャパシタンス（Ｃｃｃ、Ｃｇｃ、Ｃｄｃ）を防止してくれて、寄生キャパシタンスによるタッチ感度の低下を防止することができる。
【０１２８】
タッチ駆動期間の間、ディスプレイパネルＤＩＳＰに配置された非センシング対象である共通電極ＣＥ、データラインＤＬ、及びゲートラインＧＬに印加される信号は、センシング対象となる共通電極ＣＥに印加される基準共通信号（ＶＣＯＭ）と周波数及び位相が対応できる。
【０１２９】
また、タッチ駆動期間の間、ディスプレイパネルＤＩＳＰに配置された非センシング対象である共通電極ＣＥ、データラインＤＬ、及びゲートラインＧＬに印加される信号は、センシング対象となる共通電極ＣＥに印加される基準共通信号（ＶＣＯＭ）と振幅（△Ｖ）が対応できる。
【０１３０】
図５及び図６は、本発明の実施形態に従うタッチディスプレイ装置のディスプレイ駆動とタッチ駆動に関する同時駆動タイミングダイヤグラムである。
【０１３１】
図５及び図６を参照すると、本発明の実施形態に従うタッチディスプレイ装置は、ディスプレイ駆動とタッチ駆動を同時に進行することができる。このような駆動方式を同時駆動という。
【０１３２】
図５及び図６を参照すると、複数のデータラインＤＬに映像表示のためのデータ信号（ＶＤＡＴＡ）が供給されてディスプレイ駆動が進行される間、共通駆動回路ＣＤＣは複数の共通電極ＣＥに所定の振幅（△Ｖ）でスイングする基準共通信号（ＶＣＯＭ）を供給することができる。
【０１３３】
ここで、基準共通信号（ＶＣＯＭ）は電圧レベルがスイングされる（変わる）信号でありうる。このような基準共通信号（ＶＣＯＭ）は変調信号、ＡＣ信号、またはパルス信号などもいう。
【０１３４】
図５を参照すると、基準共通信号（ＶＣＯＭ）のハイレベル電圧期間の幅（Ｗ）はディスプレイ駆動のための１水平時間（１Ｈ）より短いことがある。
【０１３５】
この場合、複数のデータラインＤＬのうち、少なくとも１つのデータラインＤＬに供給される映像表示のためのデータ信号（ＶＤＡＴＡ）のハイレベル電圧期間または複数のゲートラインＧＬのうち、少なくとも１つのゲートラインＧＬに供給されるゲート信号（ＶＧＡＴＥ）のハイレベル電圧期間の間、基準共通信号（ＶＣＯＭ）の電圧レベルが１回以上変わることができる。
【０１３６】
言い換えると、データラインＤＬに印加されるデータ信号（ＶＤＡＴＡ）は映像表示のための元の信号部分と基準共通信号（ＶＣＯＭ）が加えられた形態を有する。したがって、データ信号（ＶＤＡＴＡ）には基準共通信号（ＶＣＯＭ）の振幅（△Ｖ）と同一な電圧変化地点が存在することができる。
【０１３７】
図６を参照すると、基準共通信号（ＶＣＯＭ）のハイレベル電圧期間の幅（Ｗ）はディスプレイ駆動のための１水平時間（１Ｈ）より長いことがある。
【０１３８】
この場合、基準共通信号（ＶＣＯＭ）のハイレベル電圧期間の間、複数のデータラインＤＬのうち、少なくとも１つのデータラインＤＬに供給される映像表示のためのデータ信号（ＶＤＡＴＡ）の電圧レベルが１回以上変わるか、または複数のゲートラインＧＬのうち、少なくとも１つのゲートラインＧＬに供給されるゲート信号（ＶＧＡＴＥ）の電圧レベルが１回以上変わることができる。
【０１３９】
図５及び図６を参照すると、同時駆動時、データラインＤＬに印加されるデータ信号（ＶＤＡＴＡ）は映像表示のための元の信号部分と基準共通信号（ＶＣＯＭ）が加えられた形態を有する。したがって、データ信号（ＶＤＡＴＡ）には基準共通信号（ＶＣＯＭ）の振幅（△Ｖ）と同一な電圧変化地点が存在することができる。
【０１４０】
図５及び図６を参照すると、同時駆動時、ゲートラインＧＬに印加されるゲート信号（ＶＧＡＴＥ）はゲート駆動のための元の信号部分と基準共通信号（ＶＣＯＭ）が加えられた形態を有する。したがって、ゲート信号（ＶＧＡＴＥ）には基準共通信号（ＶＣＯＭ）の振幅（△Ｖ）と同一な電圧変化地点が存在することができる。
【０１４１】
前述したように、データ信号（ＶＤＡＴＡ）が基準共通信号（ＶＣＯＭ）の振幅（△Ｖ）と同一な電圧変化地点を有することによって、データ信号（ＶＤＡＴＡ）から基準共通信号（ＶＣＯＭ）に該当する部分を除去すれば、時分割駆動時、ディスプレイ駆動期間のデータ信号（ＶＤＡＴＡ）と同一な状態となる。
【０１４２】
同様に、ゲート信号（ＶＧＡＴＥ）が基準共通信号（ＶＣＯＭ）の振幅（△Ｖ）と同一な電圧変化地点を有することによって、ゲート信号（ＶＧＡＴＥ）から基準共通信号（ＶＣＯＭ）に該当する部分を除去すれば、時分割駆動時、ディスプレイ駆動期間のゲート信号（ＶＧＡＴＥ）と同一な状態となる。
【０１４３】
データ信号（ＶＤＡＴＡ）が基準共通信号（ＶＣＯＭ）の振幅（△Ｖ）と同一な電圧変化地点を有し、ゲート信号（ＶＧＡＴＥ）が基準共通信号（ＶＣＯＭ）の振幅（△Ｖ）と同一な電圧変化地点を有することは、基準共通信号（ＶＣＯＭ）を基準にデータ信号（ＶＤＡＴＡ）及びゲート信号（ＶＧＡＴＥ）が変調されたという。
【０１４４】
前述したように、データ信号（ＶＤＡＴＡ）及びゲート信号（ＶＧＡＴＥ）の信号波形を変化（変調）させることによって、同時駆動時、ディスプレイ駆動とタッチ駆動が同時に進行されても、タッチ駆動によりディスプレイ駆動が影響を受けないようにすることができる。
【０１４５】
また、データ信号（ＶＤＡＴＡ）及びゲート信号（ＶＧＡＴＥ）の信号波形を変化させることは、不必要な寄生キャパシタンス（Ｃｃｃ、Ｃｇｃ、Ｃｄｃ）を防止してタッチ感度を向上させる一種のＬＦＤ駆動に該当する。
【０１４６】
例えば、同時駆動はガンマ変調技法またはグラウンド変調技法により遂行できる。
【０１４７】
ガンマ変調技法の場合、データ駆動回路ＤＤＣがデジタルアナログ変換時、基準共通信号（ＶＣＯＭ）と周波数、位相、及び振幅（△Ｖ）が対応するガンマ基準電圧（ＧＲＷ）を使用してデジタルアナログ変換処理を遂行することによって、データ信号（ＶＤＡＴＡ）を変化させることができる。
【０１４８】
また、ゲート信号（ＶＧＡＴＥ）を生成することに必要なターン−オフレベル電圧（ＶＧＬ）とターン−オンレベル電圧（ＶＧＨ）の各々を基準共通信号（ＶＣＯＭ）と周波数、位相、及び振幅（△Ｖ）が対応するように変化させることによって、前述したゲート信号（ＶＧＡＴＥ）を生成することができる。
【０１４９】
グラウンド変調技法の場合、ディスプレイパネルＤＩＳＰに印加されるグラウンド電圧（ＧＮＤ）が、電圧レベルが変わる信号であり、基準共通信号（ＶＣＯＭ）と周波数及び位相が対応するようにすることによって、ディスプレイパネルＤＩＳＰに印加される全ての種類の信号をグラウンド電圧（ＧＮＤ）を基準にスイングさせる方式である。
【０１５０】
一方、本発明の実施形態に従うタッチディスプレイ装置は同時駆動を進行したが、如何なるタイミングでは時分割駆動を進行することもできる。
【０１５１】
図７は、本発明の実施形態に従うタッチディスプレイ装置におけるシングルセンシング回路を示した図である。
【０１５２】
図７を参照すると、本発明の実施形態に従うタッチディスプレイ装置の共通駆動回路ＣＤＣは、第１マルチプレクサ回路ＭＵＸ１と、複数のセンシングユニットＳＵと、第２マルチプレクサ回路ＭＵＸ２と、アナログデジタルコンバータＡＤＣなどを含むことができる。
【０１５３】
第１マルチプレクサ回路ＭＵＸ１は複数の共通電極ＣＥのうち、複数のセンシングユニットＳＵの個数に該当する共通電極ＣＥをセンシング電極に選択する。
【０１５４】
複数のセンシングユニットＳＵの各々は、前置増幅器ＰＡＭＰ、積分器ＩＮＴＧ、及びサンプルアンドホールド回路（Sample and Hold Circuit、ＳＨＡ）などを含むことができる。
【０１５５】
前置増幅器ＰＡＭＰは非反転入力端子に入力された基準共通信号（ＶＣＯＭ）を反転入力端子を通じて共通電極ＣＥに供給することができる。
【０１５６】
また、前置増幅器ＰＡＭＰは反転入力端子を通じて共通電極ＣＥから信号を電荷形態に受信してフィードバックキャパシタＣｆｂに充電し、フィードバックキャパシタＣｆｂに充電された電荷に従う電圧を出力する。
【０１５７】
積分器ＩＮＴＧは、前置増幅器ＰＡＭＰの出力電圧を積分して積分値を出力する。
【０１５８】
サンプルアンドホールド回路ＳＨＡは、積分器ＩＮＴＧの出力積分値を格納してから出力することができる。
【０１５９】
第２マルチプレクサ回路ＭＵＸ２は、複数のセンシングユニットＳＵのうちの１つを選択して、選択されたセンシングユニットＳＵの最終出力値をアナログデジタルコンバータＡＤＣに出力する。
【０１６０】
アナログデジタルコンバータＡＤＣは、入力された値をデジタル値に該当するセンシング値に変換する。
【０１６１】
共通駆動回路ＣＤＣは、アナログデジタルコンバータＡＤＣで変換されたセンシング値を含むセンシングデータをタッチコントローラＴＣＴＲに提供する。
【０１６２】
タッチコントローラＴＣＴＲは、センシングデータに基づいてタッチ有無及び／又はタッチ座標を検出することができる。
【０１６３】
一方、時分割駆動時、タッチ駆動期間の間、ＬＦＤ駆動を通じて、センシング対象となる共通電極ＣＥと異なる共通電極ＣＥの間の寄生キャパシタンス（Ｃｃｃ）と、センシング対象となる共通電極ＣＥとデータラインＤＬとの間の寄生キャパシタンス（Ｃｄｃ）を防止するために、センシング対象となる共通電極ＣＥとゲートラインＧＬの間の寄生キャパシタンス（Ｃｇｃ）を防止することができる。
【０１６４】
また、同時駆動時、データ信号（ＶＤＡＴＡ）及びゲート信号（ＶＧＡＴＥ）が基準共通信号（ＶＣＯＭ）の振幅（△Ｖ）と同一な電圧変化地点を有するようになって、ＬＦＤ駆動と同一になる。これによって、センシング対象となる共通電極ＣＥと異なる共通電極ＣＥの間の寄生キャパシタンス（Ｃｃｃ）と、センシング対象となる共通電極ＣＥとデータラインＤＬとの間の寄生キャパシタンス（Ｃｄｃ）を防止するために、センシング対象となる共通電極ＣＥとゲートラインＧＬとの間の寄生キャパシタンス（Ｃｇｃ）を防止することができる。
【０１６５】
一方、図７を参照した共通駆動回路ＣＤＣで、複数のセンシングユニットＳＵの各々は１時点に１つの共通電極ＣＥをセンシングする。これをシングルセンシング方式という。
【０１６６】
一方、前述した時分割駆動によれば、ディスプレイ駆動時間またはタッチ駆動時間が足りなくなることがある。特に、これは高解像度の大面積のディスプレイパネルＤＩＳＰの場合に一層甚だしくなることがある。
【０１６７】
これに比べて、同時駆動の場合、時分割駆動の短所が克服できる。
【０１６８】
しかしながら、シングルセンシング方式により同時駆動を進行する場合、ディスプレイ駆動とタッチ駆動を同時に進行しなければならないので、信号制御を精密にしなければならないという困難性がありうる。タッチ駆動よりディスプレイ駆動がより速い速度で進行される場合（例：図６のように、ディスプレイ駆動のための１水平時間（１Ｈ）が基準共通信号（ＶＣＯＭ）のハイレベル電圧期間の幅（Ｗ）より短い場合）には、タッチセンシングデータのノイズが甚だしくなるという短所がある。
【０１６９】
これによって、同時駆動時議短所を克服するために、２つの共通電極ＣＥを同時に差動センシングする差動センシング方式により同時駆動を進行することができる。
【０１７０】
図８は、本発明の実施形態に従うタッチディスプレイ装置における差動センシング回路を示した図である。図９は、本発明の実施形態に従うタッチディスプレイ装置の差動センシング時、共通電極列に発生するノイズが差動増幅器ＤＡＭＰに入力される状況を示した図である。図１０は，本発明の実施形態に従うタッチディスプレイ装置の差動センシング時，共通電極列に発生するノイズ電荷（Ｑｎ）に従う画像の影響を説明するための図である。
【０１７１】
図８及び図９を参照すると、差動センシング方式の場合、共通駆動回路ＣＤＣで、第１マルチプレクサ回路ＭＵＸ１は複数のセンシングユニットＳＵの各々が差動センシングする対象となる２つの共通電極ＣＥを選択することができる。
【０１７２】
複数のセンシングユニットＳＵの各々は、第１マルチプレクサ回路ＭＵＸ１は複数のセンシングユニットＳＵの各々が差動センシングする対象となる２つの共通電極ＣＥを選択することができる。
【０１７３】
複数のセンシングユニットＳＵの各々は、第１マルチプレクサ回路ＭＵＸ１から選択された２つの共通電極ＣＥを差動センシングする。
【０１７４】
このために、複数のセンシングユニットＳＵの各々は、差動増幅器ＤＡＭＰを含むことができる。
【０１７５】
図９を参照すると、差動増幅器ＤＡＭＰは第１入力端子（ｄｉ１）及び第２入力端子（ｄｉ２）を通じて第１共通電極ＣＥ１及び第２共通電極ＣＥ２の各々から第１入力信号（ＶＩＭ１）及び第１入力信号（ＶＩＭ１）を受信して、第１入力信号（ＶＩＭ１）及び第２入力信号（ＶＩＭ２）を差動増幅して第１出力端子（ｄｏ１）及び第２出力端子（ｄｏ２）を通じて第１出力信号（ＶＯＰ）及び第２出力信号（ＶＯＭ）を出力することができる。
【０１７６】
差動増幅器ＤＡＭＰは差動増幅を遂行して第１入力信号（ＶＩＭ１）及び第２入力信号（ＶＩＭ２）の間の差と比例する差を有する第１出力信号（ＶＯＰ）及び第２出力信号（ＶＯＭ）を出力する。
【０１７７】
差動増幅器ＤＡＭＰで、第１入力端子（ｄｉ１）と第１出力端子（ｄｏ１）との間には第１キャパシタＣａが連結され、第２入力端子（ｄｉ２）と第２出力端子（ｄｏ２）との間には第２キャパシタＣｂが連結できる。
【０１７８】
同時駆動を遂行する場合、基準共通信号（ＶＣＯＭ）を基準にデータ信号（ＶＤＡＴＡ）及びゲート信号（ＶＧＡＴＥ）が変調されれば、データラインＤＬ及びゲートラインＧＬによ 生成されたり寄生キャパシタンス（Ｃｄｃ、Ｃｇｃ）による影響が相殺されてタッチを判別するに当たって容易になることができる。
【０１７９】
しかしながら、データ信号（ＶＤＡＴＡ）及びゲート信号（ＶＧＡＴＥ）などのディスプレイ信号自体は相殺できなくてタッチを判別するに当たってノイズとして作用するようになる。特に、データ信号（ＶＤＡＴＡ）は映像によって変化が甚だしい値であるので、予測が不可能なランダムノイズに近い特性を有する。したがって、同時駆動時、データラインＤＬによるノイズ影響を減らすために、前述した差動センシング方式がシングルセンシング方式に比べて有利でありうる。
【０１８０】
データラインＤＬでのデータ信号（ＶＤＡＴＡ）の電圧変動によるノイズ影響を相殺させるためには、図９のように、同一なデータラインＤＬと重畳する２つの共通電極（ＣＥ、ＣＥ２）を差動センシングしなければならない。
【０１８１】
同じデータライン（DL）と重畳する２つの共通電極（ＣＥ1、ＣＥ２）を差動センシングする中に、データ信号（ＶＤＡＴＡ）の電圧変動が発生すれば、データラインＤＬと２つの共通電極（ＣＥ１、ＣＥ２）との間の寄生キャパシタンス（Ｃｄｃ）を通じて電荷変化が生じるようになる。これをノイズ電荷（Ｑｎ）という。言い換えると、ノイズ電荷（Ｑｎ）は基準共通信号（ＶＣＯＭ）とデータ信号（ＶＤＡＴＡ）の差が出る部分で発生することができる。
【０１８２】
第１共通電極ＣＥ１と重畳して経るデータラインＤＬと第２共通電極ＣＥ２と重畳して経るデータラインＤＬは同一であるので、差動増幅器ＤＡＭＰの第１及び第２入力端子（ｄｉ１、ｄｉ２）で発生するノイズ電荷（Ｑｎ）は同一である。
【０１８３】
したがって、差動増幅器ＤＡＭＰの第１入力端子（ｄｉ１）に入力される第１入力信号（ＶＩＭ１）は、第１共通電極ＣＥ１で発生したタッチ電荷（Ｑｔ１）とデータラインＤＬにより発生したノイズ電荷（Ｑｎ）を合した電荷（Ｑｔ１＋Ｑｎ）に対応する信号である。差動増幅器ＤＡＭＰの第２入力端子（ｄｉ２）に入力される第２入力信号（ＶＩＭ２）は、第２共通電極ＣＥ２で発生したタッチ電荷（Ｑｔ２）とデータラインＤＬにより発生したノイズ電荷（Ｑｎ）を合した電荷（Ｑｔ２＋Ｑｎ）に対応する信号である。
【０１８４】
このように、ノイズ電荷（Ｑｎ）によって、差動増幅器ＤＡＭＰの第１及び第２入力端子（ｄｉ１、ｄｉ２）で電圧変化が発生するようになり、これによって、データラインＤＬと対応するサブピクセルＳＰに正確なデータ信号（ＶＤＡＴＡ）が充電できなくて、画像品質の低下が発生することがある。したがって、毎１水平時間（１Ｈ）毎に変わるノイズ電荷（Ｑｎ）を相殺させる別途の相殺回路が必要である。相殺回路は、次のような幾つかの考慮事項がある。
【０１８５】
まず、相殺回路はノイズ電荷（Ｑｎ）がいつどれだけ流入するかが分からないので、連続して動作しなければならない。
【０１８６】
次に、詳細回路は、大きいロード（Heavy Load）を十分に駆動できなければならない。共通電極ＣＥに生じる寄生キャパシタンスが数百Ｐｆ以上に非常に大きいので、共通電極ＣＥの電圧ホールディング能力が高くなるには大きい駆動能力を有しなければならない。
【０１８７】
次に、相殺回路は差動増幅器ＤＡＭＰの第１及び第２入力端子（ｄｉ１、ｄｉ２）の各々に流入するノイズ電荷（Ｑｎ）の量が若干の差があれば、第１及び第２入力端子（ｄｉ１、ｄｉ２）の各々に流入するノイズ電荷（Ｑｎ）の平均だけ相殺させて、第１入力信号（ＶＩＭ１）及び第２入力信号（ＶＩＭ２）の平均が基準共通信号（ＶＣＯＭ）に最大限近くして差動増幅することによって、画像異常を防止しなければならない。
【０１８８】
図１０は、本発明の実施形態に従うタッチディスプレイ装置の差動センシング時、共通電極列に発生するノイズに従う画像影響を説明するための図である。
【０１８９】
図１０を参照すると、第１入力信号（ＶＩＭ１）及び第２入力信号（ＶＩＭ２）の平均が基準共通信号（ＶＣＯＭ）に最大限近くしてくれなければならない。
【０１９０】
第１入力信号（ＶＩＭ１）と基準共通信号（ＶＣＯＭ）が同一なケース１と、第２入力信号（ＶＩＭ２）と基準共通信号（ＶＣＯＭ）が同一なケース２と、第１入力信号（ＶＩＭ１）と第２入力信号（ＶＩＭ２）の平均が基準共通信号（ＶＣＯＭ）と同一なケース３を考慮し、ノイズ電荷（Ｑｎ）の差があると仮定する時、ケース１及び２はポジティブ及びネガティブ方向に１グレー値が印加される時、最大２グレー値以上の差が出る。一方、ケース３の場合、ポジティブ及びネガティブ方向に１グレー値が印加される時、２グレー値以内となって画面異常現象が格段に減ることができる。
【０１９１】
以下では、前述した相殺回路の具現例として、共通信号安定化増幅器ＶＳＡＭＰについて詳細に記述する。
【０１９２】
図１１は、本発明の実施形態に従うタッチディスプレイ装置における共通信号安定化増幅器ＶＳＡＭＰを含む差動センシング回路を示した図である。
【０１９３】
図１１を参照すると、本発明の実施形態に従うタッチディスプレイ装置において、共通駆動回路ＣＤＣは複数の共通電極ＣＥのうち、第１共通電極ＣＥ１及び第２共通電極ＣＥ２から受信される第１入力信号（ＶＩＭ１）及び第２入力信号（ＶＩＭ２）を差動増幅することができる。即ち、共通駆動回路ＣＤＣは、複数の共通電極ＣＥのうち、第１共通電極ＣＥ１及び第２共通電極ＣＥ２を差動センシングして差動センシング信号（ＶＯＰ、ＶＯＭ）を出力することができる。
【０１９４】
このような共通駆動回路ＣＤＣは、共通信号安定化増幅器ＶＳＡＭＰ及び差動増幅器ＤＡＭＰなどを含むことができる。
【０１９５】
共通駆動回路ＣＤＣに含まれた差動増幅器ＤＡＭＰは、図８及び図９と同一である。したがって、以下では、図８及び図９の差動センシング回路と差異点がある内容を中心として説明する。
【０１９６】
共通駆動回路ＣＤＣは、第１入力信号（ＶＩＭ１）及び第２入力信号（ＶＩＭ２）の各々でノイズを除去した以後、差動増幅することができる。ここで、除去されたノイズは図１１のノイズ電荷（Ｑｎ）に対応するものである。
【０１９７】
共通信号安定化増幅器ＶＳＡＭＰは、第１共通電極ＣＥ１及び第２共通電極ＣＥ２の各々から受信された第１入力信号（ＶＩＭ１）及び第２入力信号（ＶＩＭ２）の平均が基準共通信号（ＶＣＯＭ）と対応するように制御して第１制御入力信号（ＶＯＵＴ１）及び第２制御入力信号（ＶＯＵＴ２）を出力することができる。
【０１９８】
共通信号安定化増幅器ＶＳＡＭＰは、図８の差動センシング回路で、第１マルチプレクサ回路ＭＵＸ１と差別増幅器ＤＡＭＰの間に連結できる。
【０１９９】
共通信号安定化増幅器ＶＳＡＭＰは、第１入力信号（ＶＩＭ１）が入力される第１入力端子（Ｓｉ１）と、第２入力信号（ＶＩＭ２）が入力される第２入力端子（Ｓｉ２）と、基準共通信号（ＶＣＯＭ）が入力される基準入力端子（Ｓｉ）を含み、第１制御入力信号（ＶＯＵＴ１）が出力される第１出力端子（Ｓｏ１）と、第２制御入力信号（ＶＯＵＴ２）が出力される第２出力端子（Ｓｏ２）を含むことができる。ここで、基準共通信号（ＶＣＯＭ）は以下では説明の便宜のためにＶＩＰとも表示する。
【０２００】
共通信号安定化増幅器ＶＳＡＭＰの出力信号のうちの１つである第１制御入力信号（ＶＯＵＴ１）は、第１入力信号（ＶＩＭ１）でノイズ電荷（Ｑｎ）が相殺された信号である。共通信号安定化増幅器ＶＳＡＭＰの出力信号のうちの他の１つの第２制御入力信号（ＶＯＵＴ２）は、第２入力信号（ＶＩＭ２）でノイズ電荷（Ｑｎ）が相殺された信号である。
【０２０１】
したがって、第１制御入力信号（ＶＯＵＴ１）は第１入力信号（ＶＩＭ１）と異なることがあり、第２制御入力信号（ＶＯＵＴ２）は第２入力信号（ＶＩＭ２）と異なることがある。
【０２０２】
しかしながら、共通信号安定化増幅器ＶＳＡＭＰで、第１出力端子（Ｓｏ１）は第１フィードバックラインＦＢＬ１を通じて第１入力端子（Ｓｉ１）と電気的に連結され、第２出力端子（Ｓｏ２）は第２フィードバックラインＦＢＬ２を通じて第２入力端子（Ｓｉ２）と電気的に連結できる。
【０２０３】
このようなフィードバック連結構造によって、時間が経過してノイズ電荷（Ｑｎ）またはその偏差が相殺されるにつれて、第１入力信号（ＶＩＭ１）と第１制御入力信号（ＶＯＵＴ１）は同一になるか、またはほとんど同一になり、第２入力信号（ＶＩＭ２）と第２制御入力信号（ＶＯＵＴ２）は同一になるか、またはほとんど同一になることができる。
【０２０４】
一方、共通信号安定化増幅器ＶＳＡＭＰは、基準入力端子（Ｓｉ）を通じて入力された基準共通信号（ＶＩＰ）を第１入力端子（Ｓｉ１）及び第２入力端子（Ｓｉ２）を通じて第１共通電極ＣＥ１及び第２共通電極ＣＥ２に供給することができる。
【０２０５】
差動増幅器ＤＡＭＰは、共通信号安定化増幅器ＶＳＡＭＰから出力された第１制御入力信号（ＶＯＵＴ１）及び第２制御入力信号（ＶＯＵＴ２）の間の差に比例する差動センシング信号（ＶＯＰ、ＶＯＭ）を出力することができる。
【０２０６】
例えば、差動増幅器ＤＡＭＰが完全差動増幅器（Fully Differential Amplifier）である場合、差動増幅器ＤＡＭＰから出力される差動センシング信号は、第１制御入力信号（ＶＯＵＴ１）及び第２制御入力信号（ＶＯＵＴ２）の間の差に比例する差を有する第１出力信号（ＶＯＰ）及び第２出力信号（ＶＯＭ）を含むことができる。
【０２０７】
差動増幅器ＤＡＭＰから出力された差動センシング信号（ＶＯＰ、ＶＯＭ）は積分器ＩＮＴＧに入力できる。
【０２０８】
前述したように、同時駆動によれば、共通駆動回路ＣＤＣは、複数のデータラインＤＬに映像表示のためのデータ信号（ＶＤＡＴＡ）が供給されてディスプレイ駆動が進行される間、タッチセンシングのために第１共通電極ＣＥ１及び第２共通電極ＣＥ２を差動センシングすることができる。
【０２０９】
図１２は、本発明の実施形態に従う共通信号安定化増幅器ＶＳＡＭＰの概略的なブロック図である。
【０２１０】
図１２を参照すると、共通信号安定化増幅器ＶＳＡＭＰは、入力回路１５１０、制御回路１５２０、及び出力回路１５３０などを含むことができる。ここで、制御回路１５２０はゲイン回路（Gain Circuit）ともいう。
【０２１１】
入力回路１５１０は、第１入力端子（Ｓｉ１）及び第２入力端子（Ｓｉ２）を通じて第１共通電極ＣＥ１及び第２共通電極ＣＥ２から入力された第１入力信号（ＶＩＭ１）及び第２入力信号（ＶＩＭ２）の平均と、基準入力端子（Ｓｉ）を通じて入力された基準共通信号（ＶＩＰ）を比較することができる。
【０２１２】
制御回路１５２０は、第１入力信号（ＶＩＭ１）及び第２入力信号（ＶＩＭ２）の平均が基準共通信号（ＶＩＰ）と対応するように第１入力信号（ＶＩＭ１）及び第２入力信号（ＶＩＭ２）を制御することができる。
【０２１３】
出力回路１５３０は、制御回路１５２０により制御された第１入力信号（ＶＩＭ１）に該当する第１制御入力信号（ＶＯＵＴ１）及び制御回路１５２０により制御された第２入力信号（ＶＩＭ２）に該当する第２制御入力信号（ＶＯＵＴ２）を第１出力端子（Ｓｏ１）及び第２出力端子（Ｓｏ２）を通じて出力することができる。
【０２１４】
入力回路１５１０は、第１入力端子（Ｓｉ１）及び第２入力端子（Ｓｉ２）の各々を通じて入力されたノイズ電荷（Ｑｎ）の量の差（△Ｑｎ）があれば、第１入力端子（Ｓｉ１）及び第２入力端子（Ｓｉ２）の各々を通じて入力されたノイズ電荷（Ｑｎ）の平均だけ相殺（除去）させて、基準共通信号（ＶＩＰ、ＶＣＯＭ）と最大限近くすることができる。
【０２１５】
出力回路１５３０は、大きい駆動能力のために大きいロードを駆動することができる。
【０２１６】
また、出力回路１５３０は第１及び第２共通電極（ＣＥ１、ＣＥ２）の各々のノイズ電荷（Ｑｎ）のみを相殺させるために、ミラーリング（Mirroring）回路構成を有することによって、同一な電流を送り出したり受け入れたりすることができる。
【０２１７】
以下では、制御回路１５２０及び出力回路１５３０は同一であるが、入力回路１５１０の構成が互いに異なる３種類の共通信号安定化増幅器ＶＳＡＭＰを説明する。
【０２１８】
図１３及び図１４は、本発明の実施形態に従う共通信号安定化増幅器ＶＳＡＭＰのブロック図及び詳細回路である。
【０２１９】
入力回路１５１０は、複数のＮ型トランジスタ（ＭＮ１、ＭＮ２、ＭＮ３、ＭＮ４）を含んだ第１入力回路ＭＩＮと、複数のＰ型トランジスタ（ＭＰ１、ＭＰ２、ＭＰ３、ＭＰ４）を含む第２入力回路ＰＩＮを含むことができる。
【０２２０】
制御回路１５２０は、複数のＰ型トランジスタ（ＭＰ５、ＭＰ６、ＭＰ７、ＭＰ８、ＭＰ９、ＭＰ１０）を含む第１制御回路ＰＧＡＩＮと、複数のＮ型トランジスタ（ＭＮ５、ＭＮ６、ＭＮ７、ＭＮ８、ＭＮ９、ＭＮ１０）を含む第２制御回路ＮＧＡＩＮを含むことができる。
【０２２１】
出力回路１５３０は、Ｐ型トランジスタ（ＰＴ１；ＭＰ１１）及びＮ型トランジスタ（ＮＴ１；ＭＮ１１）を含む第１出力回路ＯＣ１と、Ｐ型トランジスタ（ＰＴ２；ＭＰ１２）及びＮ型トランジスタ（ＮＴ２；ＭＮ１２）を含む第２出力回路ＯＣ２を含むことができる。
【０２２２】
第１入力回路ＭＩＮは、基準共通信号（ＶＩＰ）、第１入力信号（ＶＩＭ１）、及び第２入力信号（ＶＩＭ２）がゲートノードに各々印加される第１乃至第３のＮ型トランジスタＭＮ２、ＭＮ３、ＭＮ４と、ゲートノードに印加される制御信号（ＢＮ１）にオン−オフが制御され、第１乃至第３のＮ型トランジスタＭＮ２、ＭＮ３、ＭＮ４のソースノードが共通に連結された地点（ａ）と低電位電圧ノード（ｎｓ）の間に電気的に連結され、第４のＮ型トランジスタＭＮ１を含むことができる。
【０２２３】
第４のＮ型トランジスタＭＮ１は、基準電流が流れるように制御してくれる。
【０２２４】
第２入力回路ＰＩＮは、基準共通信号（ＶＩＰ）、第１入力信号（ＶＩＭ１）、及び第２入力信号（ＶＩＭ２）がゲートノードに各々印加される第１乃至第３のＰ型トランジスタＭＰ２、ＭＰ３、ＭＰ４と、ゲートノードに印加される制御信号（ＢＰ１）にオン−オフが制御され、第１乃至第３のＰ型トランジスタＭＰ２、ＭＰ３、ＭＰ４のソースノードが共通に連結された地点（ｂ）と高電位電圧ノード（ｎｄ）の間に電気的に連結された第４のＰ型トランジスタＭＰ１を含むことができる。
【０２２５】
第４のＰ型トランジスタＭＰ１は、基準電流が流れるように制御してくれる。
【０２２６】
第２及び第３のＮ型トランジスタＭＮ３、ＭＮ４は、並列に連結できる。
【０２２７】
これによって、第２及び第３のＮ型トランジスタＭＮ３、ＭＮ４の各々のゲートノードには第１入力信号（ＶＩＭ１）及び第２入力信号（ＶＩＭ２）が入力され、第２及び第３のＮ型トランジスタＭＮ３、ＭＮ４の各々のソースノードは電気的に連結され、第２及び第３のＮ型トランジスタＭＮ３、ＭＮ４の各々のドレインノードは電気的に連結される。
【０２２８】
第１のＮ型トランジスタＭＮ２のドレインノード（ａ１）の出力は第１制御回路ＰＧＡＩＮに入力できる。
【０２２９】
第２及び第３のＮ型トランジスタＭＮ３、ＭＮ４の連結されたドレインノード（ａ２）の出力は第１制御回路ＰＧＡＩＮに入力できる。
【０２３０】
第２及び第３のＰ型トランジスタＭＮ３、ＭＮ４は、並列に連結できる。
【０２３１】
これによって、第２及び第３のＰ型トランジスタＭＮ３、ＭＮ４の各々のゲートノードには第１入力信号（ＶＩＭ１）及び第２入力信号（ＶＩＭ２）が入力され、第２及び第３のＰ型トランジスタＭＮ３、ＭＮ４の各々のソースノードは電気的に連結され、第２及び第３のＰ型トランジスタＭＮ３、ＭＮ４の各々のドレインノードは電気的に連結される。
【０２３２】
第１のＰ型トランジスタＭＰ２のドレインノード（ｂ１）の出力は第２制御回路ＮＧＡＩＮに入力できる。
【０２３３】
第２及び第３のＰ型トランジスタＭＮ３、ＭＮ４の連結されたドレインノード（ｂ２）の出力は第２制御回路ＮＧＡＩＮに入力できる。
【０２３４】
入力回路１５１０で使われる制御信号（ＢＮ１、ＢＰ１）と、制御回路１５２０で使われる制御信号（ＢＰ２、ＢＰ３、ＢＮ２、ＢＮ３）はターン−オンレベル電圧でありうる。
【０２３５】
第１出力回路ＯＣ１内のＰ型トランジスタＭＰ１１及びＮ型トランジスタＭ１１は、第１制御回路ＰＧＡＩＮから出力される信号（ｃｏ１）及び第２制御回路ＮＧＡＩＮから出力される信号（ｃｏ２）によりオン−オフが各々制御され、高電位電圧ノード（ｎｄ）と低電位電圧ノード（ｎｓ）の間に直列に連結される。
【０２３６】
第１出力回路ＯＣ１内のＰ型トランジスタＭＰ１１及びＮ型トランジスタＭ１１が連結された連結ノードから第１制御入力信号（ＶＯＵＴ１）が出力される。
【０２３７】
第２出力回路ＯＣ２内のＰ型トランジスタＭＰ１２及びＮ型トランジスタＭＮ１２は、第１制御回路ＰＧＡＩＮから出力される信号（ｃｏ１）及び第２制御回路ＮＧＡＩＮから出力される信号（ｃｏ２）によりオン−オフが各々制御され、高電位電圧ノード（ｎｄ）と低電位電圧ノード（ｎｓ）の間に直列に連結される。
【０２３８】
第２出力回路ＯＣ２内のＰ型トランジスタＭＰ１２及びＮ型トランジスタＭＮ１２が連結された連結ノードから第２制御入力信号（ＶＯＵＴ２）が出力される。
【０２３９】
図１５及び図１６は、本発明の実施形態に従う共通信号安定化増幅器ＶＳＡＭＰの他のブロック図及び詳細回路である。
【０２４０】
入力回路１５１０は、複数のＮ型トランジスタ（ＭＮ１、ＭＮ２、ＭＮ３、ＭＮ４、ＭＮ５、ＭＮ６）を含んだ第１入力回路ＭＩＮと、複数のＰ型トランジスタ（ＭＰ１、ＭＰ２、ＭＰ３、ＭＰ４、ＭＰ５、ＭＰ６）を含む第２入力回路ＰＩＮを含むことができる。
【０２４１】
制御回路１５２０は、複数のＰ型トランジスタ（ＭＰ７、ＭＰ８、ＭＰ９、ＭＰ１０、ＭＰ１１、ＭＰ１２）を含む第１制御回路ＰＧＡＩＮと、複数のＮ型トランジスタ（ＭＮ７、ＭＮ８、ＭＮ９、ＭＮ１０、ＭＮ１１、ＭＮ１２）を含む第２制御回路ＮＧＡＩＮを含むことができる。
【０２４２】
出力回路１５３０は、Ｐ型トランジスタ（ＰＴ１；ＭＰ１３）及びＮ型トランジスタ（ＮＴ１；ＭＮ１３）を含む第１出力回路ＯＣ１と、Ｐ型トランジスタ（ＰＴ２；ＭＰ１４）及びＮ型トランジスタ（ＮＴ２；ＭＮ１５）を含む第２出力回路ＯＣ２を含むことができる。
【０２４３】
第１入力回路ＭＩＮは、第１パートＭＩＮ１と第２パートＭＩＮ２を含むことができる。
【０２４４】
第１入力回路ＭＩＮの第１パートＭＩＮ１は、基準共通信号（ＶＩＰ）及び第１入力信号（ＶＩＭ１）がゲートノードに各々印加される第１及び第２のＮ型トランジスタＭＮ２、ＭＮ３と、制御信号（ＢＮ１）によりオン−オフが制御され、第１及び第２のＮ型トランジスタＭＮ２、ＭＮ３のソースノードが共通に連結された地点（ｃ）と低電位電圧ノード（ｎｓ）の間に電気的に連結された第３のＮ型トランジスタＭＮ１を含むことができる。
【０２４５】
第３のＮ型トランジスタＭＮ１は、基準電流が流れるように制御してくれる。
【０２４６】
第１入力回路ＭＩＮの第２パートＭＩＮ２は、基準共通信号（ＶＩＰ）及び第２入力信号（ＶＩＭ２）がゲートノードに各々印加される第４及び第５のＮ型トランジスタＭＮ５、ＭＮ６と、制御信号（ＢＮ１）によってオン−オフが制御され、第４及び第５のＮ型トランジスタＭＮ５、ＭＮ６のソースノードが共通に連結された地点（ｄ）と低電位電圧ノード（ｎｓ）の間に電気的に連結された第６のＮ型トランジスタＭＮ４を含むことができる。
【０２４７】
第６のＮ型トランジスタＭＮ４は、基準電流が流れるように制御してくれる。
【０２４８】
第２入力回路ＰＩＮは第１パートＰＩＮ１と第２パートＰＩＮ２を含むことができる。
【０２４９】
第２入力回路ＰＩＮの第１パートＰＩＮ１は、基準共通信号（ＶＩＰ）及び第１入力信号（ＶＩＭ１）がゲートノードに各々印加される第１及び第２のＰ型トランジスタＭＰ２、ＭＰ３と、制御信号（ＢＰ１）によりオン−オフが制御され、第１及び第２のＰ型トランジスタＭＰ２、ＭＰ３のソースノードが共通に連結された地点（ｆ）と高電位電圧ノード（ｎｄ）の間に電気的に連結された第３のＰ型トランジスタＭＰ１を含むことができる。
【０２５０】
第３のＰ型トランジスタＭＰ１は、基準電流が流れるように制御してくれる。
【０２５１】
第２入力回路ＰＩＮの第２パートＰＩＮ２は、基準共通信号（ＶＩＰ）及び第２入力信号（ＶＩＭ２）がゲートノードに各々印加される第４及び第５のＰ型トランジスタＭＰ５、ＭＰ６と、制御信号（ＢＰ１）によりオン−オフが制御され、第４及び第５のＰ型トランジスタＭＰ５、ＭＰ６のソースノードが共通に連結された地点（ｅ）と高電位電圧ノード（ｎｄ）の間に電気的に連結された第６のＰ型トランジスタＭＰ４を含むことができる。
【０２５２】
第６のＰ型トランジスタＭＰ４は、基準電流が流れるように制御してくれる。
【０２５３】
第１及び第４のＮ型トランジスタＭＮ２、ＭＮ５のドレインノード（ｃ１、ｄ１）は電気的に互いに連結され、第２及び第５のＮ型トランジスタＭＮ３、ＭＮ６のドレインノード（ｃ２、ｄ２）は電気的に互いに連結できる。
【０２５４】
第１及び第４のＰ型トランジスタＭＰ２、ＭＰ５のドレインノード（ｆ１、ｅ１）は電気的に互いに連結され、第２及び第５のＰ型トランジスタＭＰ３、ＭＰ６のドレインノード（ｆ２、ｅ２）は電気的に互いに連結できる。
【０２５５】
入力回路１５１０で使われる制御信号（ＢＮ１、ＢＰ１）と、制御回路１５２０で使われる制御信号（ＢＰ２、ＢＰ３、ＢＮ２、ＢＮ３）はターン−オンレベル電圧でありうる。
【０２５６】
第１出力回路ＯＣ１内のＰ型トランジスタＭＰ１３及びＮ型トランジスタＭ１３は、第１制御回路ＰＧＡＩＮから出力される信号（ｃｏ１）及び第２制御回路ＮＧＡＩＮから出力される信号（ｃｏ２）によりオン−オフが各々制御され、高電位電圧ノード（ｎｄ）と低電位電圧ノード（ｎｓ）の間に直列に連結される。
【０２５７】
第１出力回路ＯＣ１内のＰ型トランジスタＭＰ１３及びＮ型トランジスタＭ１３が連結された連結ノードから第１制御入力信号（ＶＯＵＴ１）が出力される。
【０２５８】
第２出力回路ＯＣ２内のＰ型トランジスタＭＰ１４及びＮ型トランジスタＭＮ１４は、第１制御回路ＰＧＡＩＮから出力される信号（ｃｏ１）及び第２制御回路ＮＧＡＩＮから出力される信号（ｃｏ２）によりオン−オフが各々制御され、高電位電圧ノード（ｎｄ）と低電位電圧ノード（ｎｓ）の間に直列に連結される。
【０２５９】
第２出力回路ＯＣ２内のＰ型トランジスタＭＰ１４及びＮ型トランジスタＭＮ１４が連結された連結ノードから第２制御入力信号（ＶＯＵＴ２）が出力される。
【０２６０】
図１７及び図１８は、本発明の実施形態に従う共通信号安定化増幅器ＶＳＡＭＰの更に他のブロック図及び詳細回路である。
【０２６１】
入力回路１５１０は、第１入力信号（ＶＩＭ１）及び第２入力信号（ＶＩＭ２）の入力を受けて平均を出力する平均回路ＡＶＧと、複数のＮ型トランジスタ（ＭＮ１、ＭＮ２、ＭＮ３）を含んだ第１入力回路ＭＩＮ’と、複数のＰ型トランジスタ（ＭＰ１、ＭＰ２、ＭＰ３）を含む第２入力回路ＰＩＮ’を含むことができる。
【０２６２】
制御回路１５２０は、複数のＰ型トランジスタ（ＭＰ４、ＭＰ５、ＭＰ６、ＭＰ７、ＭＰ８、ＭＰ９）を含む第１制御回路ＰＧＡＩＮと、複数のＮ型トランジスタ（ＭＮ４、ＭＮ５、ＭＮ６、ＭＮ７、ＭＮ８、ＭＮ９）を含む第２制御回路ＮＧＡＩＮを含むことができる。
【０２６３】
出力回路１５３０は、Ｐ型トランジスタ（ＰＴ１；ＭＰ１０）及びＮ型トランジスタ（ＮＴ１、ＭＮ１０）を含む第１出力回路ＯＣ１と、Ｐ型トランジスタ（ＰＴ２；ＭＰ１１）及びＮ型トランジスタＭＮ１１を含む第２出力回路ＯＣ２を含むタッチディスプレイ装置。
【０２６４】
平均回路ＡＶＧは、一例に、互いに連結された第１抵抗（Ｒ１）と第２抵抗（Ｒ２）を含む電圧分配回路でありうる。
【０２６５】
第１抵抗（Ｒ１）と第２抵抗（Ｒ２）の両側に第１入力信号（ＶＩＭ１）及び第２入力信号（ＶＩＭ２）が印加され、第１抵抗（Ｒ１）と第２抵抗（Ｒ２）の連結地点で、第１入力信号（ＶＩＭ１）と第２入力信号（ＶＩＭ２）の平均が出力される。
【０２６６】
第１入力信号（ＶＩＭ１）と第２入力信号（ＶＩＭ２）の平均が出力されるために、第１抵抗（Ｒ１）と第２抵抗（Ｒ２）は同一な抵抗値を有することができる。
【０２６７】
第１抵抗（Ｒ１）と第２抵抗（Ｒ２）の抵抗値が小さければ、第１入力信号（ＶＩＭ１）が印加されるノードと第２入力信号（ＶＩＭ２）が印加されるノードは短絡されたようになって、タッチ電荷（Ｑｔ）が分配されてセンシングされる。また、第１抵抗（Ｒ１）と第２抵抗（Ｒ２）の抵抗値が大きくなり過ぎれば、ＲＣ遅延（ロード）が大きくなるようになって、共通信号安定化増幅器ＶＳＡＭＰの処理速度が遅くなって基準共通信号（ＶＣＯＭ）の安定化に長時間がかかることがある。したがって、第１抵抗（Ｒ１）と第２抵抗（Ｒ２）の抵抗値は小さ過ぎなく、大き過ぎなく、適切に設計されなければならない。
【０２６８】
第１入力回路ＭＩＮ’は、基準共通信号（ＶＩＰ）と平均がゲートノードに各々印加される第１及び第２のＮ型トランジスタＭＮ２、ＭＮ３と、制御信号（ＢＮ１）によりオン−オフが制御され、第１及び第２のＮ型トランジスタＭＮ２、ＭＮ３のソースノードが共通に連結された地点（ｇ）と低電位電圧ノード（ｎｓ）の間に電気的に連結された第３のＮ型トランジスタＭＮ１を含むことができる。
【０２６９】
第１及び第２のＮ型トランジスタＭＮ２、ＭＮ３のドレインノード（ｇ１、ｇ２）の出力は第１制御回路ＰＧＡＩＮに入力される。
【０２７０】
第２入力回路ＰＩＮ’は、基準共通信号（ＶＩＰ）と平均がゲートノードに各々印加される第１及び第２のＰ型トランジスタＭＰ２、ＭＰ３と、制御信号（ＢＰ１）によりオン−オフが制御され、第１及び第２のＰ型トランジスタＭＰ２、ＭＰ３のソースノードが共通に連結された地点（ｈ）と高電位電圧ノード（ｎｄ）の間に電気的に連結された第３のＰ型トランジスタＭＰ１を含むことができる。
【０２７１】
第１及び第２のＰ型トランジスタＭＰ２、ＭＰ３のドレインノード（ｈ１、ｈ２）の出力は第２制御回路ＮＧＡＩＮに入力される。
【０２７２】
入力回路１５１０で使われる制御信号（ＢＮ１、ＢＰ１）と、制御回路１５２０で使われる制御信号（ＢＰ２、ＢＰ３、ＢＮ２、ＢＮ３）はターン−オンレベル電圧でありうる。
【０２７３】
第１出力回路ＯＣ１内のＰ型トランジスタＭＰ１０及びＮ型トランジスタＭＮ１０は、第１制御回路ＰＧＡＩＮから出力される信号（ｃｏ１）及び第２制御回路ＮＧＡＩＮから出力される信号（ｃｏ２）によりオン−オフが各々制御され、高電位電圧ノード（ｎｄ）と低電位電圧ノード（ｎｓ）の間に直列に連結される。
【０２７４】
第１出力回路ＯＣ１内のＰ型トランジスタＭＰ１０及びＮ型トランジスタＭＮ１０が連結された連結ノードから第１制御入力信号（ＶＯＵＴ１）が出力される。
【０２７５】
第２出力回路ＯＣ２内のＰ型トランジスタＭＰ１１及びＮ型トランジスタＭＮ１１は、第１制御回路ＰＧＡＩＮから出力される信号（ｃｏ１）及び第２制御回路ＮＧＡＩＮから出力される信号（ｃｏ２）によりオン−オフが各々制御され、高電位電圧ノード（ｎｄ）と低電位電圧ノード（ｎｓ）の間に直列に連結される。
【０２７６】
第２出力回路ＯＣ２内のＰ型トランジスタＭＰ１１及びＮ型トランジスタＭＮ１１が連結された連結ノードから第２制御入力信号（ＶＯＵＴ２）が出力される。
【０２７７】
図１９は、本発明の実施形態に従う共通信号安定化増幅器ＶＳＡＭＰによる画像品質改善効果を説明するための図である。
【０２７８】
図１９を参照すると、前述した共通信号安定化増幅器ＶＳＡＭＰを用いると、第１入力信号（ＶＩＭ１）と基準共通信号（ＶＣＯＭ）が同一なケース１と、第２入力信号（ＶＩＭ２）と基準共通信号（ＶＣＯＭ）が同一なケース２は、第１入力信号（ＶＩＭ１）と第２入力信号（ＶＩＭ２）の平均が基準共通信号（ＶＣＯＭ）と同一なケース３に変更できる。
【０２７９】
したがって、第１入力信号（ＶＩＭ１）及び第２入力信号（ＶＩＭ２）の平均が基準共通信号（ＶＣＯＭ）に最大限近くなることができる。
【０２８０】
言い換えると、ノイズ電荷（Ｑｎ）により基準共通信号（ＶＣＯＭ）で異常なピークが発生するなどの基準共通信号（ＶＣＯＭ）の異常状況が発生すれば、タッチ駆動及びセンシングには影響を及ぼさず、共通信号安定化増幅器ＶＳＡＭＰにより、ノイズ電荷（Ｑｎ）の相殺により、基準共通信号（ＶＣＯＭ）が正常化できる。これによって、差動センシング方式の同時駆動時、画像異常現象を防止することができる。
【０２８１】
以上で前述した共通信号安定化増幅器ＶＳＡＭＰを用いた同時駆動方法を簡略にまた説明する。
【０２８２】
図２０は、本発明の実施形態に従うタッチディスプレイ装置の駆動方法のフローチャートである。
【０２８３】
図２０を参照すると、本発明の実施形態に従うタッチディスプレイ装置の駆動方法は、ディスプレイパネルＤＩＳＰに配置されたデータラインＤＬ及びゲートラインＧＬにデータ信号（ＶＤＡＴＡ）及びゲート信号（ＶＧＡＴＥ）を出力し、ディスプレイパネルＤＩＳＰに配置された複数の共通電極ＣＥのうちの２つ以上に基準共通信号（ＶＩＰ；ＶＣＯＭ）を出力するステップ（Ｓ１０）と、データ信号（ＶＤＡＴＡ）と基準共通信号（ＶＩＰ）に応答して映像を表示し、基準共通信号（ＶＣＯＭ）が印加された２つ以上の共通電極ＣＥから受信される第１入力信号（ＶＩＭ１）及び第２入力信号（ＶＩＭ２）からノイズを除去して差動センシングしてタッチをセンシングするステップ（Ｓ２０）などを含むことができる。
【０２８４】
本発明の実施形態によれば、ディスプレイ駆動とタッチ駆動を同時に進行することができるタッチディスプレイ装置、共通駆動回路ＣＤＣ、及び駆動方法を提供することができる。
【０２８５】
また、本発明の実施形態によれば、ディスプレイ駆動とタッチ駆動を同時に進行するに当たって、ディスプレイ駆動とタッチ駆動の間の影響を減らすことができるタッチディスプレイ装置、共通駆動回路ＣＤＣ、及び駆動方法を提供することができる。
【０２８６】
また、本発明の実施形態によれば、ディスプレイ駆動とタッチ駆動を同時に進行するに当たって、ディスプレイ駆動及びタッチ駆動に全て必要な信号が振れる不安定な現象を防止してくれて、ディスプレイ駆動とタッチ駆動を同時に進行するにもかかわらず、画像品質を向上させることができるタッチディスプレイ装置、共通駆動回路ＣＤＣ、及び駆動方法を提供することができる。
【０２８７】
以上の説明及び添付の図面は本発明の技術思想を例示的に示すことに過ぎないものであって、本発明が属する技術分野で通常の知識を有する者であれば本発明の本質的な特性から逸脱しない範囲で構成の結合、分離、置換、及び変更などの多様な修正及び変形が可能である。したがって、本発明に開示された実施形態は本発明の技術思想を限定するためのものでなく、説明するためのものであり、このような実施形態によって本発明の技術思想の範囲が限定されるものではない。本発明の保護範囲は請求範囲によって解釈されなければならず、それと同等な範囲内にある全ての技術思想は本発明の権利範囲に含まれるものと解釈されるべきである。
【図１】
2020107334.tif 000003
【図２】
2020107334.tif 000004
【図３】
2020107334.tif 000005
【図４】
2020107334.tif 000006
【図５】
2020107334.tif 000007
【図６】
2020107334.tif 000008
【図７】
2020107334.tif 000009
【図８】
2020107334.tif 000010
【図９】
2020107334.tif 000011
【図１０】
2020107334.tif 000012
【図１１】
2020107334.tif 000013
【図１２】
2020107334.tif 000014
【図１３】
2020107334.tif 000015
【図１４】
2020107334.tif 000016
【図１５】
2020107334.tif 000017
【図１６】
2020107334.tif 000018
【図１７】
2020107334.tif 000019
【図１８】
2020107334.tif 000020
【図１９】
2020107334.tif 000021
【図２０】
2020107334.tif 000022